(57)【要約】【課題】所望のデータを容易に転送できるようにする。【解決手段】携帯型記憶再生装置１２と通信接続されると、フォルダアイコンＦｉをワンクリックする操作入力に対して、フォルダアイコンＦｉに対応するフォルダに格納されている楽曲データを携帯型記憶再生装置１２に転送する命令を割り当て、実際にフォルダアイコンＦｉがワンクリックされると、このフォルダアイコンＦｉに対応するフォルダに格納されている楽曲データを、携帯型記憶再生装置１２に送信するようにしたことにより、フォルダアイコンＦｉをワンクリックさせるだけで、フォルダに格納している楽曲データを携帯型記憶再生装置１２に送信することができ、かくして所望の楽曲データを容易に携帯型記憶再生装置１２に転送することができる。【選択図】図２
2008250924.tif 000002
【特許請求の範囲】
【請求項１】
外部装置とデータの送受信を行う通信部と、
上記通信部による上記外部装置との通信接続を検出する検出部と、
操作入力を受け付ける操作入力部と、
上記検出部が上記外部装置との通信接続を検出すると、上記操作入力部が受け付ける、表示部に表示されるデータ格納場所に対応するシンボルへのワンクリック操作に対してデータ送信命令を割り当てる命令割当部と、
上記操作入力部が上記シンボルへのワンクリック操作を受け付けた場合に、当該ワンクリック操作に対して上記データ送信命令が割り当てられていれば、上記通信部が上記シンボルに対応するデータ格納場所に格納されたデータを上記外部装置に送信するように制御する制御部と
を具えることを特徴とする情報処理装置。
【請求項２】
上記制御部は、
上記検出部による上記外部装置との通信接続の検出の有無に応じて、上記表示部に表示される上記シンボルの表示形態を変化させる
ことを特徴とする請求項１に記載の情報処理装置。
【請求項３】
上記通信部は、
上記外部装置が近接すると、当該外部装置との通信接続を開始する
ことを特徴とする請求項１に記載の情報処理装置。
【請求項４】
上記操作入力部は、タッチパネルからの操作入力を受け付ける
ことを特徴とする請求項１に記載の情報処理装置。
【請求項５】
上記データ格納場所には、複数のデータが格納される
ことを特徴とする請求項１に記載の情報処理装置。
【請求項６】
上記操作入力部は、上記表示部が触れられたことによる操作入力を受け付ける
ことを特徴とする請求項１に記載の情報処理装置。
【請求項７】
上記命令割当部は、
上記検出部が上記外部装置との通信接続を検出すると、上記シンボルへの上記ワンクリック操作に対してデータ送信命令とデータ受信命令とを割り当て、
上記制御部は、
上記操作入力部が上記シンボルへのワンクリック操作を受け付けた場合に、当該ワンクリック操作に対して上記データ送信命令とデータ受信命令とが割り当てられていれば、上記通信部を制御して上記シンボルに対応するデータ格納場所に格納されているデータを上記外部装置に送信すると共に当該外部装置からデータを受信して上記シンボルに対応するデータ格納場所に格納する
ことを特徴とする請求項１に記載の情報処理装置。
【請求項８】
上記命令割当部は、
上記検出部が上記外部装置との通信接続を検出すると、上記シンボルへのツークリック操作に対してデータ受信命令を割り当て、
上記制御部は、
上記操作入力部が上記シンボルへのツークリック操作を受け付けた場合に、当該ツークリック操作に対して上記データ受信命令が割り当てられていれば、上記通信部を制御して上記外部装置からデータを受信して上記シンボルに対応するデータ格納場所に格納する
ことを特徴とする請求項１に記載の情報処理装置。
【請求項９】
上記制御部は、
上記操作入力部が上記シンボルへのワンクリック操作を受け付けた場合に、当該ワンクリック操作に対して上記データ送信命令が割り当てられていれば、上記シンボルに対応するデータ格納場所に格納されたデータが上記外部装置に送信可能であるかどうかを判定して、送信可能であると判定したデータのみを上記外部装置に送信するように上記通信部を制御する
ことを特徴とする請求項１に記載の情報処理装置。
【請求項１０】
外部装置と無線でデータの送受信を行う通信部と、
上記通信部と通信接続され、且つ最も近傍に位置する外部装置を検出する検出部と、
操作入力を受け付ける操作入力部と、
上記検出部により上記外部装置が検出されている状態で、上記操作入力部が表示部に表示されているデータ格納場所に対応するシンボルへの操作を受け付けると、上記通信部が上記シンボルに対応するデータ格納場所に格納されたデータを検出されている上記外部装置に送信するように制御する制御部と
を具えることを特徴とする情報処理装置。
【請求項１１】
上記制御部は、
上記検出部による上記外部装置の検出の有無に応じて、上記表示部に表示される上記シンボルの表示形態を変化させる
ことを特徴とする請求項１０に記載の情報処理装置。
【請求項１２】
上記通信部は、
上記外部装置が近接すると、当該外部装置との通信接続を開始する
ことを特徴とする請求項１０に記載の情報処理装置。
【請求項１３】
上記操作入力部は、タッチパネルからの操作入力を受け付ける
ことを特徴とする請求項１０に記載の情報処理装置。
【請求項１４】
上記データ格納場所には、複数のデータが格納される
ことを特徴とする請求項１０に記載の情報処理装置。
【請求項１５】
上記操作入力部は、上記表示部が触れられたことによる操作入力を受け付ける
ことを特徴とする請求項１０に記載の情報処理装置。
【請求項１６】
上記制御部は、
上記検出部により上記外部装置が検出されている状態で、上記操作入力部が表示部に表示されているデータ格納場所に対応するシンボルへの操作を受け付けると、上記通信部を制御して上記シンボルに対応するデータ格納場所に格納されているデータを上記外部装置に送信すると共に当該外部装置からデータを受信して上記シンボルに対応するデータ格納場所に格納する
ことを特徴とする請求項１０に記載の情報処理装置。
【請求項１７】
上記制御部は、
上記検出部により上記外部装置が検出されている状態で、上記操作入力部が表示部に表示されているデータ格納場所に対応するシンボルへのワンクリック操作を受け付けると、上記通信部を制御して上記シンボルに対応するデータ格納場所に格納されているデータを上記外部装置に送信し、上記検出部により上記外部装置が検出されている状態で、上記操作入力部が表示部に表示されているデータ格納場所に対応するシンボルへのツークリック操作を受け付けると、上記通信部を制御して上記外部装置からデータを受信して上記シンボルに対応するデータ格納場所に格納する
ことを特徴とする請求項１０に記載の情報処理装置。
【請求項１８】
上記制御部は、
上記検出部により上記外部装置が検出されている状態で、上記操作入力部が表示部に表示されているデータ格納場所に対応するシンボルへの操作を受け付けると、上記シンボルに対応するデータ格納場所に格納されたデータが上記外部装置に送信可能であるかどうかを判定して、送信可能であると判定したデータのみを上記外部装置に送信するように上記通信部を制御する
ことを特徴とする請求項１０に記載の情報処理装置。
【請求項１９】
外部装置との通信接続を検出する検出ステップと、
上記検出ステップで上記外部装置との通信接続を検出すると、操作入力部が受け付ける、表示部に表示されるデータ格納場所に対応するシンボルへのワンクリック操作に対してデータ送信命令を割り当てる命令割当ステップと、
上記操作入力部が上記シンボルへのワンクリック操作を受け付けた場合に、当該ワンクリック操作に対して上記データ送信命令が割り当てられていれば、上記シンボルに対応するデータ格納場所に格納されたデータを上記外部装置に送信する送信ステップと
を具えることを特徴とする情報処理方法。
【請求項２０】
通信接続され、且つ最も近傍に位置する外部装置を検出する検出ステップと、
上記検出ステップで上記外部装置を検出している状態で、操作入力部が表示部に表示されているデータ格納場所に対応するシンボルへの操作を受け付けると、当該シンボルに対応するデータ格納場所に格納されたデータを検出している上記外部装置に送信する送信ステップと
を具えることを特徴とする情報処理方法。
【請求項２１】
情報処理装置に対して、
通信部と外部装置との通信接続を検出する検出ステップと、
上記検出ステップで上記外部装置との通信接続を検出すると、操作入力部が受け付ける、表示部に表示されるデータ格納場所に対応するシンボルへのワンクリック操作に対してデータ送信命令を割り当てる命令割当ステップと、
上記操作入力部が上記シンボルへのワンクリック操作を受け付けた場合に、当該ワンクリック操作に対して上記データ送信命令が割り当てられていれば、上記シンボルに対応するデータ格納場所に格納されたデータを上記通信部により上記外部装置に送信させる送信ステップと
を実行させることを特徴とする情報処理プログラム。
【請求項２２】
情報処理装置に対して、
通信部と通信接続され、且つ最も近傍に位置する外部装置を検出する検出ステップと、
上記検出ステップで上記外部装置を検出している状態で、操作入力部が表示部に表示されているデータ格納場所に対応するシンボルへの操作を受け付けると、当該シンボルに対応するデータ格納場所に格納されたデータを上記通信部により検出している上記外部装置に送信させる送信ステップと
を実行させることを特徴とする情報処理プログラム。
【発明の詳細な説明】
【技術分野】
【０００１】
本発明は、情報処理装置、情報処理方法及び情報処理プログラムに関し、例えば、装置間でデータの送受信を行う際に適用して好適なものである。
【背景技術】
【０００２】
近年、ＣＤからリッピングした楽曲データや、楽曲配信サーバからダウンロードした楽曲データをハードディスクなどの大容量記憶部に取り貯め、この大容量記憶部から任意の楽曲データを読み出して再生することで、ユーザに対して楽曲を聴かせ得るようになされた情報処理装置（例えばパーソナルコンピュータやオーディオコンポなど）が広く普及している。
【０００３】
また、この種のパーソナルコンピュータやオーディオコンポの多くは、ＵＳＢなどのインタフェースを介して通信接続された外部装置（例えば、携帯型オーディオプレイヤ）に対して、任意の楽曲データを転送し得るようにもなされている。
【０００４】
そして携帯型オーディオプレイヤは、パーソナルコンピュータやオーディオコンポから転送される楽曲データをフラッシュメモリなどの記憶部に記憶して、この記憶部から任意の楽曲データを読み出して再生することで、ユーザに対して例えばプレイヤ本体を携帯させながら楽曲を聴かせ得るようになされている。
【０００５】
ところで、パーソナルコンピュータなどの情報処理装置から携帯型オーディオプレイヤなどの外部装置に楽曲データを転送する場合、情報処理装置の大容量記憶部に取り貯められた楽曲データのなかから、ユーザが所望する楽曲データを容易に外部装置に転送できることが望ましい。
【０００６】
そこで従来、外部装置との通信接続を検出すると、自動的に、大容量記憶部に取り貯めた楽曲データのなかから所定の条件を基に選択した楽曲データを外部装置に転送するようになされた情報処理装置が提案されている（例えば特許文献１参照）。
【特許文献１】特開２００１−１７５６２４公報（第５７図）
【発明の開示】
【発明が解決しようとする課題】
【０００７】
しかしながら、上述したような従来の情報処理装置の場合、外部装置を例えば通信ケーブルを介して接続するだけで楽曲データを転送するので、楽曲データの転送が容易である反面、所定の条件を基に選択した楽曲データを外部装置に転送するので、必ずしもユーザが所望する楽曲データを外部装置に転送することができるとは言えず、結局のところ、ユーザが所望する楽曲データを容易に外部装置に転送できるとは言えなかった。
【０００８】
本発明は以上の点を考慮してなされたもので、所望のデータを容易に転送し得る情報処理装置、情報処理方法及び情報処理プログラムを提案しようとするものである。
【課題を解決するための手段】
【０００９】
かかる課題を解決するため本発明の情報処理装置においては、外部装置とデータの送受信を行う通信部と、通信部による外部装置との通信接続を検出する検出部と、操作入力を受け付ける操作入力部と、検出部が外部装置との通信接続を検出すると、操作入力部が受け付ける、表示部に表示されるデータ格納場所に対応するシンボルへのワンクリック操作に対してデータ送信命令を割り当てる命令割当部と、操作入力部がシンボルへのワンクリック操作を受け付けた場合に、当該ワンクリック操作に対してデータ送信命令が割り当てられていれば、通信部がシンボルに対応するデータ格納場所に格納されたデータを外部装置に送信するように制御する制御部とを設けるようにした。
【００１０】
これにより、情報処理装置は、任意のデータ格納場所に対応するシンボルへのワンクリック操作のみで、任意のデータ格納場所に格納されているユーザ所望のデータを外部装置に送信することができる。
【００１１】
また本発明の情報処理装置においては、外部装置と無線でデータの送受信を行う無線通信部と、無線通信部とデータの送受信が可能で、且つ最も近傍に位置する外部装置を検出する検出部と、操作入力を受け付ける操作入力部と、検出部により外部装置が検出されている状態で、操作入力部が表示部に表示されているデータ格納場所に対応するシンボルへの操作を受け付けると、無線通信部がシンボルに対応するデータ格納場所に格納されたデータを検出されている外部装置に送信するように制御する制御部とを設けるようにした。
【００１２】
これにより、情報処理装置は、任意のデータ格納場所に対応するシンボルへの操作のみで、任意のデータ格納場所に格納されているユーザ所望のデータを最も近傍に位置する外部装置に無線で送信することができる。
【発明の効果】
【００１３】
本発明によれば、外部装置とデータの送受信を行う通信部と、通信部による外部装置との通信接続を検出する検出部と、操作入力を受け付ける操作入力部と、検出部が外部装置との通信接続を検出すると、操作入力部が受け付ける、表示部に表示されるデータ格納場所に対応するシンボルへのワンクリック操作に対してデータ送信命令を割り当てる命令割当部と、操作入力部がシンボルへのワンクリック操作を受け付けた場合に、当該ワンクリック操作に対してデータ送信命令が割り当てられていれば、通信部がシンボルに対応するデータ格納場所に格納されたデータを外部装置に送信するように制御する制御部とを設けるようにしたことにより、任意のデータ格納場所に対応するシンボルへのワンクリック操作のみで、任意のデータ格納場所に格納されているユーザ所望のデータを外部装置に送信することができるので、所望のデータを容易に転送し得る情報処理装置、情報処理方法及び情報処理プログラムを実現できる。
【００１４】
また本発明によれば、外部装置と無線でデータの送受信を行う無線通信部と、無線通信部とデータの送受信が可能で、且つ最も近傍に位置する外部装置を検出する検出部と、操作入力を受け付ける操作入力部と、検出部により外部装置が検出されている状態で、操作入力部が表示部に表示されているデータ格納場所に対応するシンボルへの操作を受け付けると、無線通信部がシンボルに対応するデータ格納場所に格納されたデータを検出されている外部装置に送信するように制御する制御部とを設けるようにしたことにより、任意のデータ格納場所に対応するシンボルへの操作のみで、任意のデータ格納場所に格納されているユーザ所望のデータを最も近傍に位置する外部装置に無線で送信することができるので、所望のデータを容易に転送し得る情報処理装置、情報処理方法及び情報処理プログラムを実現できる。
【発明を実施するための最良の形態】
【００１５】
以下、図面について、本発明の実施の形態を詳述する。
【００１６】
（１）第１の実施の形態
（１−１）第１の実施の形態の概要
まず、第１の実施の形態の概要を説明する。ちなみにこの概要を説明した後、第１の実施の形態の具体例の説明に移る。
【００１７】
図１において１は、情報処理装置の機能ブロックを示す。この情報処理装置１は、外部装置とデータの送受信を行う通信部２と、通信部２による外部装置との通信接続を検出する検出部３と、操作入力を受け付ける操作入力部４と、検出部３が外部装置との通信接続を検出すると、操作入力部４が受け付ける、表示部に表示されるデータ格納場所に対応するシンボルへのワンクリック操作に対してデータ送信命令を割り当てる命令割当部５と、操作入力部４がシンボルへのワンクリック操作を受け付けた場合に、当該ワンクリック操作に対してデータ送信命令が割り当てられていれば、通信部２がシンボルに対応するデータ格納場所に格納されたデータを外部装置に送信するように制御する制御部６とを有する。
【００１８】
このような機能構成により、情報処理装置１は、任意のデータ格納場所に対応するシンボルへのワンクリック操作のみで、任意のデータ格納場所に格納されているユーザ所望のデータを外部装置に送信することができるので、所望のデータを容易に転送することができる。
【００１９】
（１−２）第１の実施の形態の具体例
（１−２−１）データ転送システムの構成
つづけて、第１の実施の形態の具体例を説明する。図２において１０は、データ転送システムを示す。このデータ転送システム１０は、データ（例えば楽曲データ）の記憶及び再生機能を持つデータ記憶再生装置１１と、楽曲データの記憶及び再生機能を持つ携帯型のデータ記憶再生装置（これを携帯型記憶再生装置とも呼ぶ）１２とで構成され、これらデータ記憶再生装置１１と携帯型記憶再生装置１２とが通信ケーブル１３を介して通信接続されるようになされている。ちなみに、このデータ転送システム１０のデータ記憶再生装置１１が、上述した情報処理装置１の具体例である。
【００２０】
データ記憶再生装置１１は、タッチパネル付きの表示部（これをタッチパネル付表示部とも呼ぶ）１４を有しており、ユーザがこのタッチパネル付表示部１４に表示された画面に触れるようにしてタッチパネルに触れると、これを操作入力として受け付け各種命令に変換する。
【００２１】
そしてデータ記憶再生装置１１は、タッチパネル付表示部１４を介したユーザによる操作入力に応じて、ＣＤからリッピングした楽曲データや、ネットワークＮＴ上の楽曲配信サーバ（図示せず）からダウンロードした楽曲データを、内蔵の記憶部に記憶するようになされている。また、データ記憶再生装置１１は、このようにして内蔵の記憶部に記憶した楽曲データのうちの任意の楽曲データを、タッチパネル付表示部１４を介したユーザによる操作入力に応じて、再生するようになされている。
【００２２】
さらに、データ記憶再生装置１１は、タッチパネル付表示部１４を介したユーザによる操作入力により、記憶部に記憶している楽曲データのうちの任意の楽曲データを携帯型記憶再生装置１２に転送するよう指示されると、これに応じて、記憶部から指定の楽曲データを読み出して、これを通信ケーブル１３を介して携帯型記憶再生装置１２に送信するようになされている。
【００２３】
一方、携帯型記憶再生装置１２は、通信ケーブル１３を介してデータ記憶再生装置１１から転送されてくる楽曲データを内蔵の記憶部（図示せず）に記憶する。そして、携帯型記憶再生装置１２は、通信ケーブル１３が外され、例えば携帯された状態でユーザにより任意の楽曲データを再生するよう指示されると、これに応じて、記憶部から楽曲データを読み出して再生する。
【００２４】
このように、このデータ転送システム１０では、データ記憶再生装置１１のタッチパネル付表示部１４を介した操作入力に応じて、データ記憶再生装置１１が、記憶している楽曲データのうちの任意の楽曲データを携帯型記憶再生装置１２に転送するようになされている。
【００２５】
（１−２−２）データ記憶再生装置及び携帯型記憶再生装置の機能構成
次に、データ記憶再生装置１１及び携帯型記憶再生装置１２の機能構成について説明する。まず、図３を用いて、データ記憶再生装置１１の機能構成から説明する。データ記憶再生装置１１は、制御部２０が各部を統括的に制御するようになされている。
【００２６】
具体的に言うと、制御部２０は、タッチパネル付表示部１４のタッチパネル１４Ａを介した操作入力を操作入力部２１で受け付ける。制御部２０は、このとき操作入力部２１で受け付けた操作入力が、命令割当部２２により、例えば、ＣＤから楽曲データをリッピングする命令が割り当てられている操作入力である場合、この命令をＣＤリッピング部２３に送る。
【００２７】
ＣＤリッピング部２３は、挿入されたＣＤから楽曲データを読み出し、この楽曲データに対してデータ形式の変換処理などの所定のリッピング処理を施すことによりリッピング楽曲データを得、このリッピング楽曲データを記憶部２４に記憶する。実際上、この記憶部２４には、データ格納場所となるフォルダが生成されており、ＣＤリッピング部２３は、例えばユーザにより指定されたフォルダにリッピング楽曲データを格納することで、リッピング楽曲データを記憶部２４に記憶するようになされている。ちなみに、このフォルダは、ユーザによる操作入力に基づき、制御部２０が記憶部２４に生成、または記憶部２４から削除し得るものである。
【００２８】
また、このときＣＤリッピング部２３は、ＣＤのＴＯＣ（Table Of Contents）情報などを基に、リッピング楽曲データの収録アルバム名、曲名、アーティスト名、ジャンル、再生時間、曲ＩＤなどの情報（これを関連情報とも呼ぶ）を、例えば、通信部２５のネットワーク接続部２５Ａを介して通信接続されたネットワークＮＴ上の関連情報配信サーバ（図示せず）から取得し、これをリッピング楽曲データと共に、記憶部２４に記憶するようにもなされている。
【００２９】
また制御部２０は、タッチパネル１４Ａから操作入力部２１を介して受け付けた操作入力が、例えば、ネットワークＮＴ上の楽曲配信サーバから任意の楽曲データをダウンロードする命令が割り当てられている操作入力である場合、これに応じて、指定された楽曲データの配信要求を通信部２５のネットワーク接続部２５Ａを介して通信接続された楽曲配信サーバ（図示せず）に対して送信する。この結果、楽曲配信サーバから楽曲データが送信されてくると、制御部２０は、これをネットワーク接続部２５Ａにより受信して記憶部２４の例えばユーザにより指定されたフォルダに格納する。ちなみに、楽曲配信サーバから配信される楽曲データには、あらかじめ関連情報が付与されているとする。
【００３０】
このようにしてデータ記憶再生装置１１は、ＣＤからリッピングした楽曲データや、楽曲配信サーバからダウンロードした楽曲データを、ユーザに指定されたフォルダに格納することで、記憶部２４に記憶するようになされている。
【００３１】
また制御部２０は、このようにしてフォルダに格納した楽曲データの一部または全部を、ユーザによる操作入力に基づいて、別のフォルダや、新たに生成したフォルダに移動させるようにもなされている。
【００３２】
さらに制御部２０は、タッチパネル１４Ａから操作入力部２１を介して受け付けた操作入力が、例えば、記憶部２４に記憶している楽曲データのうちの任意の楽曲データを再生する命令が割り当てられている操作入力である場合、これに応じて、指定された楽曲データを記憶部２４から読み出して再生部２６に送る。再生部２６は、送られてくる楽曲データに対して所定の再生処理を施すことにより楽曲信号に変換した後、この楽曲信号を出力部２７に送る。この結果、出力部２７から楽曲信号に基づく楽曲が出力される。
【００３３】
このようにしてデータ記憶再生装置１１は、記憶部２４に記憶している楽曲データを再生するようになされている。
【００３４】
さらに制御部２０は、タッチパネル１４Ａから操作入力部２１を介して受け付けた操作入力が、例えば、記憶部２４に記憶している楽曲データのうちの任意の楽曲データを携帯型記憶再生装置１２に転送する命令が割り当てられている操作入力である場合、これに応じて、指定された楽曲データを記憶部２４から読み出して、これを通信部２５の外部接続部２５Ｂ及び通信ケーブル１３を介して通信接続された携帯型記憶再生装置１２に送信する。
【００３５】
このようにしてデータ記憶再生装置１１は、記憶部２４に記憶している楽曲データを携帯型再生装置１２に転送するようになされている。
【００３６】
ここで、タッチパネル付表示部１４を介した操作入力について、データ記憶再生装置１１が携帯型記憶再生装置１２と通信接続されていない場合（これを非接続時とも呼ぶ）と通信接続されている場合（これを接続時とも呼ぶ）とに分けて詳しく説明する。まず、非接続時での、タッチパネル付表示部１４を介した操作入力について説明する。
【００３７】
データ記憶再生装置１１の制御部２０は、電源が投入されると、記憶部２４からＧＵＩ（Graphical User Interface）画面用のデータを読み出し、このＧＵＩ画面用のデータと記憶部２４のフォルダ構成などに基づきＧＵＩ画面データを生成し、これをタッチパネル付表示部１４の表示部１４Ｂに送る。表示部１４Ｂは、送られてくるＧＵＩ画面データに基づいて、図４に示すようなＧＵＩ画面Ｇｗを表示する。
【００３８】
図４に示したＧＵＩ画面Ｇｗは、非接続時の表示例であり、この場合のＧＵＩ画面Ｇｗには、記憶部２４に記憶されているアプリケーションに対応するアプリケーションアイコンＡｉと、記憶部２４に生成されたフォルダに対応するフォルダアイコンＦｉとが、それぞれの名称と共に配置される。実際上、図４に示したＧＵＩ画面Ｇｗは、リッピングアプリケーションに対応するアプリケーションアイコンＡｉ１及びその名称「リッピング」と、楽曲データ再生アプリケーションに対応するアプリケーションアイコンＡｉ２及びその名称「プレイヤ」と、フォルダＡに対応するフォルダアイコンＦｉ１及びその名称「フォルダＡ」、フォルダＢに対応するフォルダアイコンアイコンＦｉ２とその名称「フォルダＢ」とが配置された例である。
【００３９】
このようなＧＵＩ画面Ｇｗを表示部１４Ｂに表示している状態で、例えば、リッピングアプリケーションに対応するアプリケーションアイコンＡｉ１を連続して２回タッチする操作（これをダブルクリックまたはツークリックとも呼ぶ）がユーザにより行われると、表示部１４Ｂに配されたタッチパネル１４Ａがこれを操作入力として操作入力部２１に送る。そして操作入力部２１は、この操作入力を制御部２０に伝える。
【００４０】
制御部２０は、この操作入力が命令割当部２２によりアプリケーションアイコンＡｉに対応するアプリケーションを実行する命令が割り当てられている操作入力であると認識して、この操作入力に応じてアプリケーションＡｉ１を例えば強調表示すると共に、この操作入力に割り当てられている命令にしたがって、記憶部２４から、リッピングアプリケーションを読み出して実行する。楽曲データ再生アプリケーションに対応するアプリケーションアイコンＡｉ２がダブルクリックされた場合も同様である。
【００４１】
このようにして、データ記憶再生装置１１は、タッチパネル１４Ａを介して、アプリケーションアイコンＡｉがダブルクリックされると、このアプリケーションアイコンＡｉに対応するアプリケーションを実行するようになされている。
【００４２】
これに対して、例えば、図５に示すように、フォルダＡに対応するフォルダアイコンＦｉ１がダブルクリックされると、タッチパネル１４Ａがこれを操作入力として操作入力部２１に送る。そして操作入力部２１は、この操作入力を制御部２０に伝える。
【００４３】
制御部２０は、この操作入力が命令割当部２２によりフォルダアイコンＦｉに対応するフォルダの中身を表示する命令が割り当てられている操作入力であると認識して、図６に示すように、この操作入力に応じてフォルダアイコンＦ１を例えば強調表示すると共に、この操作入力に割り当てられている命令にしたがって、フォルダＡに格納されている楽曲データのファイル名を一覧表示するフォルダウインドウＦｗをＧＵＩ画面Ｇｗに重ねるようにして表示する。フォルダＢに対応するフォルダアイコンＦｉ２がダブルクリックされた場合も同様である。
【００４４】
ちなみに、図６に示したフォルダウインドウＦｗは、フォルダＡに格納されている４つの楽曲データのファイル名「＊＊＊＊＊００１．＊＊＊」、「＊＊＊＊＊００２．＊＊＊」、「＊＊＊＊＊００３．＊＊＊」、「＊＊＊＊＊００４．＊＊＊」が一覧表示された例である。
【００４５】
このようにして、データ記憶再生装置１１は、タッチパネル１４Ａを介して、フォルダアイコンＦｉがダブルクリックされると、このフォルダアイコンＦｉに対応するフォルダに格納されている楽曲データのファイル名を一覧表示する。
【００４６】
さらに、このフォルダウインドウＦｗに表示されている例えばファイル名「＊＊＊＊＊００１．＊＊＊」がダブルクリックされると、タッチパネル１４Ａがこれを操作入力として操作入力部２１に送る。そして操作入力部２１は、この操作入力を制御部２０に伝える。制御部２０は、この操作入力が命令割当部２２によりファイル名に対応する楽曲データを再生する命令が割り当てられている操作入力であると認識して、この操作入力に割り当てられている命令にしたがって、ファイル名「＊＊＊＊＊００１．＊＊＊」の楽曲データを記憶部２４から読み出して、再生部２６に送ることにより、この楽曲データを再生する。
【００４７】
このようにして、データ記憶再生装置１１は、タッチパネル１４Ａを介して、フォルダウインドウＦｗに表示されているファイル名がダブルクリックされると、このファイル名の楽曲データを再生する。
【００４８】
ここまでが、非接続時での、タッチパネル付表示部１４を介した操作入力である。ちなみに、命令割当部２２は、非接続時でのアプリケーションアイコンＡｉ及びフォルダイアイコンＦｉを１回だけタッチする操作（これをワンクリックとも呼ぶ）に対しては、何ら命令を割り当てていない。したがって、非接続時にアプリケーションアイコンＡｉ及びフォルダイアイコンＦｉがワンクリックされても、データ記憶再生装置１１は、何の処理も行わない。
【００４９】
つづけて、接続時でのタッチパネル付表示部１４を介した操作入力について説明する。データ記憶再生装置１１の検出部２８は、通信部２５の外部接続部２５Ｂにより通信ケーブル１３を介して携帯型記憶再生装置１２と通信接続されたことを検出すると、この旨を制御部２０と命令割当部２２に通知する。制御部２０は、この通知に基づき、携帯型記憶再生装置１２と通信接続されたことを認識すると、ＧＵＩ画面Ｇｗに配置されたフォルダアイコンＦｉの表示形態を変化させることで、携帯型記憶再生装置１２と正常に通信接続された旨をユーザに通知する。
【００５０】
具体的に言うと、制御部２０は、例えば、図７に示すように、単に無地のフォルダを模した表示形態であったフォルダアイコンＦｉを、通信接続された旨を示す文字「Ｌｉｎｋ」が記されたフォルダを模した表示形態に変化させることで、携帯型記憶再生装置１２と正常に通信接続された旨をユーザに通知する。
【００５１】
一方、命令割当部２２は、検出部２８からの通知に基づき、携帯型記憶再生装置１２と通信接続されたことを認識すると、フォルダアイコンＦｉをワンクリックする操作入力に対して、フォルダアイコンＦｉに対応するフォルダに格納されている楽曲データを携帯型記憶再生装置１２に転送する命令を割り当てる。
【００５２】
そして、例えば、図８に示すように、フォルダＡに対応するフォルダアイコンＦｉ１がワンクリックされると、タッチパネル１４Ａがこれを操作入力として操作入力部２１に送る。そして操作入力部２１は、この操作入力を制御部２０に伝える。
【００５３】
制御部２０は、この操作入力が命令割当部２２によりフォルダアイコンＦｉに対応するフォルダに格納されている楽曲データを携帯型記憶再生装置１２に転送する命令が割り当てられている操作入力であると認識して、この操作入力に応じてフォルダアイコンＦｉ１を例えば強調表示すると共に、この操作入力に割り当てられている命令にしたがって、フォルダＡに格納されている楽曲データを記憶部２４から読み出して、これを通信部２５の外部接続部２５Ｂ及び通信ケーブル１３を介して通信接続されている携帯型記憶再生装置１２に送信する。フォルダＢに対応するフォルダアイコンＦｉ２がワンクリックされた場合も同様である。ちなみに、制御部２０は、楽曲データを携帯型記憶再生装置１２に転送する場合、その関連情報も転送するようになされている。
【００５４】
ここまでが、接続時での、タッチパネル付表示部１４を介した操作入力である。ちなみに、命令割当部２２は、アプリケーションアイコンＡｉをダブルクリックする操作入力及びフォルダアイコンＦｉをダブルクリックする操作入力については、接続時と非接続時とで同じ命令を割り当てるようになされている。
【００５５】
このように、データ記憶再生装置１１は、携帯型記憶再生装置１２と通信接続されると、フォルダアイコンＦｉをワンクリックする操作入力（つまりフォルダアイコンＦｉへのワンクリック操作）に対して、フォルダアイコンＦｉに対応するフォルダに格納されている楽曲データを携帯型記憶再生装置１２に転送する命令を割り当て、実際にフォルダアイコンＦｉがワンクリックされると、このフォルダアイコンＦｉに対応するフォルダに格納されている楽曲データを、携帯型記憶再生装置１２に送信するようになされている。
【００５６】
このような機能構成により、このデータ記憶再生装置１１は、携帯型記憶再生装置１２に転送させたい楽曲データを格納しているフォルダに対応するフォルダアイコンＦｉをユーザにワンクリックさせるだけで、このフォルダに格納している楽曲データ（つまりユーザが携帯型記憶再生装置１２に転送させたい楽曲データ）を携帯型記憶再生装置１２に送信することができ、かくして簡易な操作でユーザ所望の楽曲データを携帯型記憶再生装置１２に転送することができる。
【００５７】
次に、図９を用いて、携帯型記憶再生装置１２の機能構成について説明する。携帯型記憶再生装置１２は、制御部３０が各部を統括的に制御するようになされている。具体的に言うと、制御部３０は、外部接続部３１及び通信ケーブル１３を介して通信接続されているデータ記憶再生装置１１から転送されてくる楽曲データを、外部接続部３１により受信して記憶部３２に記憶する。ちなみに、データ記憶再生装置１１から転送されてくる楽曲データには、関連情報が付されているとする。
【００５８】
その後、通信ケーブル１３が外部接続部３１から外され、ユーザにより操作部３３を介して記憶部３２に記憶している任意の楽曲データを再生するよう指示されると、制御部３０は、これに応じて、指定の楽曲データを記憶部３２から読み出して再生部３４に送る。また、このとき制御部３０は、この楽曲データの関連情報を記憶部３２から読み出して、表示部３６に送る。
【００５９】
再生部３４は、送られてくる楽曲データに対して所定の再生処理を施すことにより楽曲信号に変換した後、この楽曲信号をイヤホンである出力部３５に送る。この結果、出力部３５から楽曲信号に基づく楽曲が出力される。また表示部３６は、送られてくる関連情報に基づき、再生中の楽曲データに対応する曲名、アーティスト名、再生経過時間などを表示する。
【００６０】
このようにして、携帯型記憶再生装置１２は、データ記憶再生装置１１から転送されてくる楽曲データを記憶して、必要に応じて再生するようになされている。
【００６１】
（１−２−３）データ転送処理手順
ここで、上述したデータ記憶再生装置１１が携帯型記憶再生装置１２へ楽曲データを転送するときの処理手順（これをデータ転送処理手順とも呼ぶ）について、図１０に示すフローチャートを用いて説明する。ちなみに、このデータ転送処理手順は、主として、データ記憶再生装置１１の制御部２０、命令割当部２２、検出部２８により実行される処理の手順である。
【００６２】
データ記憶再生装置１１の検出部２８は、例えば、電源が投入されると、データ転送処理手順ＲＴ１のステップＳＰ１において、外部接続部２５Ｂにより通信ケーブル１３を介して携帯型記憶再生装置１２と通信接続されたかどうかを検出する。このステップＳＰ１で否定結果を得ると、このことは、データ記憶再生装置１１と携帯型記憶再生装置１２とが通信接続されていないことを意味し、このとき検出部２８は、このデータ転送処理手順ＲＴ１を終了させる。
【００６３】
これに対して、このステップＳＰ１で肯定結果を得ると、このことは、データ記憶再生装置１１と携帯型記憶再生装置１２とが通信接続されていることを意味し、このとき検出部２８は、この旨を命令割当部２２に通知する。
【００６４】
命令割当部２２は、検出部２８からデータ記憶再生装置１１と携帯型記憶再生装置１２とが通信接続されている旨の通知を受けると、つづくステップＳＰ２において、ＧＵＩ画面Ｇｗに配置されるフォルダアイコンＦｉをワンクリックする操作入力に対して、フォルダアイコンＦｉに対応するフォルダに格納されている楽曲データを携帯型記憶再生装置１２に転送する命令（データ転送命令）を割り当てる。
【００６５】
制御部２０は、命令割当部２２により、命令の割り当てが完了すると、つづくステップＳＰ３において、タッチパネル１４Ａを介してフォルダアイコンＦｉがワンクリックされたかどうかを、操作入力部２１から送られてくる操作入力に基づいて判定する。
【００６６】
このステップＳＰ３において肯定結果を得ると、このことは、ユーザによりフォルダアイコンＦｉがワンクリックされたことを意味し、このとき制御部２０は、ステップＳＰ４に移る。ステップＳＰ４において制御部２０は、ワンクリックされたフォルダアイコンＦｉに対応するフォルダに格納されている楽曲データを、記憶部２４から読み出して、これを外部接続部２５Ｂより携帯型記憶再生装置１２に転送して、このデータ転送処理手順ＲＴ１を終了させる。
【００６７】
これに対して、上述のステップＳＰ３で否定結果を得ると、このことは、まだフォルダアイコンＦｉがワンクリックされていないことを意味し、このとき制御部２０は、ステップＳＰ５に移る。ステップＳＰ５において制御部２０は、検出部２８からデータ記憶再生装置１１と携帯型記憶再生装置１２との通信接続が解除された旨の通知を受けているかどうか判定する。
【００６８】
このステップＳＰ５で否定結果を得ると、このことはまだデータ記憶再生装置１１と携帯型記憶再生装置１２とが通信接続されていることを意味し、このとき制御部２０は、再びステップＳＰ３に戻り、フォルダアイコンＦｉがワンクリックされるのを待ち受ける。
【００６９】
これに対して、このステップＳＰ５で肯定結果を得ると、このことはデータ記憶再生装置１１と携帯型記憶再生装置１２との通信接続が解除されたことを意味し、このとき制御部２０は、このデータ転送処理手順ＲＴ１を終了させる。
【００７０】
このようなデータ転送処理手順ＲＴ１にしたがって、データ記憶再生装置１１は、携帯型記憶再生装置１２に対して楽曲データを転送するようになされている。
【００７１】
（１−２−４）第１の実施の形態による動作及び効果
以上の構成において、データ記憶再生装置１１は、楽曲データを、記憶部２４に生成したフォルダに格納するようにして記憶する。またデータ記憶再生装置１１は、記憶部２４に生成したフォルダに対応するフォルダアイコンＦｉが配置されたＧＵＩ画面Ｇｗを表示部１４Ｂに表示する。
【００７２】
そしてデータ記憶再生装置１１は、携帯型記憶再生装置１２と通信接続されると、ＧＵＩ画面Ｇｗに配置されるフォルダアイコンＦｉをワンクリックする操作入力に対して、フォルダアイコンＦｉに対応するフォルダに格納されている楽曲データを携帯型記憶再生装置１２に転送するデータ転送命令を割り当て、実際にフォルダアイコンＦｉがワンクリックされると、このフォルダアイコンＦｉに対応するフォルダに格納されている楽曲データを、携帯型記憶再生装置１２に送信する。
【００７３】
こうすることで、このデータ記憶再生装置１１は、携帯型記憶再生装置１２と通信接続されている場合に、携帯型記憶再生装置１２に転送させたい楽曲データを格納しているフォルダに対応するフォルダアイコンＦｉをユーザにワンクリックさせるだけで、このフォルダに格納している楽曲データ（つまりユーザが携帯型記憶再生装置１２に転送させたい楽曲データ）を携帯型記憶再生装置１２に送信することができる。
【００７４】
またデータ記憶再生装置１１は、携帯型記憶再生装置１２と通信接続されると、ＧＵＩ画面Ｇｗに配置されるフォルダアイコンＦｉの表示形態を変化させる。こうすることで、このデータ記憶再生装置１１は、このフォルダアイコンＦｉにより、携帯型記憶再生装置１２と正常に通信接続されていることを、ユーザに認識させることができる。
【００７５】
さらにデータ記憶再生装置１１は、携帯型記憶再生装置１２と通信接続されている場合にのみ、フォルダアイコンＦｉをワンクリックする操作入力に対して、データ転送命令を割り当てるようにしたことにより、携帯型記憶再生装置１２と通信接続されていないにも関わらず、楽曲データを携帯型記憶再生装置１２に転送しようとする操作入力を誤って受け付けたり、楽曲データを携帯型記憶再生装置１２に転送しようとする処理を誤って実行したりすることを未然に防ぐこともできる。
【００７６】
以上の構成によれば、データ記憶再生装置１１は、携帯型記憶再生装置１２と通信接続されると、フォルダアイコンＦｉをワンクリックする操作入力に対して、フォルダアイコンＦｉに対応するフォルダに格納されている楽曲データを携帯型記憶再生装置１２に転送する命令を割り当て、実際にフォルダアイコンＦｉがワンクリックされると、このフォルダアイコンＦｉに対応するフォルダに格納されている楽曲データを、携帯型記憶再生装置１２に送信するようにしたことにより、携帯型記憶再生装置１２に転送させたい楽曲データを格納しているフォルダに対応するフォルダアイコンＦｉをユーザにワンクリックさせるだけで、このフォルダに格納している楽曲データ（つまりユーザが携帯型記憶再生装置１２に転送させたい楽曲データ）を携帯型記憶再生装置１２に送信することができ、かくして簡易な操作で容易にユーザ所望の楽曲データを携帯型記憶再生装置１２に転送することができる。
【００７７】
（２）第２の実施の形態
次に、第２の実施の形態について説明する。この第２の実施の形態は、データ記憶再生装置１１が、携帯型記憶再生装置１２と通信接続されると、フォルダアイコンＦｉをワンクリックする操作入力に対してデータ転送命令を割り当てるだけでなく、フォルダアイコンＦｉをダブルクリックする操作入力に対しても、非接続時とは異なる命令を割り当てるようになされた実施例である。ゆえに、ここでは、接続時の命令割り当てを中心に説明する。ちなみに、概要、システム構成、データ記憶再生装置１１の機能構成については、第１の実施の形態と同様であるので、第１の実施の形態を参照とする。
【００７８】
また携帯型記憶再生装置１２については、その構成自体は第１の実施の形態と同様であるとするが、制御部３０の追加機能として、楽曲データの再生履歴を記憶部２４に記憶して適宜この再生履歴を外部接続部３１からデータ記憶再生装置１１に送信（つまりアップロード）させるようになされている。
【００７９】
具体的に言うと、この第２の実施の形態では、データ記憶再生装置１１の命令割当部２２が、検出部２８からの通知に基づき、携帯型記憶再生装置１２と通信接続されたことを認識すると、フォルダアイコンＦｉをワンクリックする操作入力に対して、フォルダアイコンＦｉに対応するフォルダに格納されている楽曲データを携帯型記憶再生装置１２に転送する命令を割り当てると共に、フォルダアイコンＦｉをダブルクリックする操作入力に対して、フォルダアイコンＦｉに対応するフォルダの中身を表示する命令から、携帯型記憶再生装置１２から再生履歴を受信してフォルダアイコンＦｉに対応するフォルダに格納する命令に切り換える。
【００８０】
そして、データ記憶再生装置１１の制御部２０は、実際にフォルダアイコンＦｉがダブルクリックされると、外部接続部２５Ｂを介して、携帯型記憶再生装置１２に再生履歴のアップロード要求を送信する。この結果、携帯型記憶再生装置１２から再生履歴がアップロードされてくると、制御部２０は、この再生履歴を外部接続部２５Ｂにより受信して、先にダブルクリックされたフォルダアイコンＦｉに対応するフォルダに格納するようになされている。
【００８１】
（２−１）第２の実施の形態によるデータ転送処理手順
ここで、この第２の実施の形態のデータ記憶再生装置１１が携帯型記憶再生装置１２へ楽曲データを転送し、また携帯型記憶再生装置１２から再生履歴を受信する処理手順（これをデータ送受信処理手順とも呼ぶ）について、図１１に示すフローチャートを用いて説明する。ちなみに、このデータ送受信処理手順は、主として、データ記憶再生装置１１の制御部２０、命令割当部２２、検出部２８により実行される処理の手順である。
【００８２】
データ記憶再生装置１１の検出部２８は、例えば、電源が投入されると、データ転送処理手順ＲＴ２のステップＳＰ１０において、外部接続部２５Ｂにより通信ケーブル１３を介して携帯型記憶再生装置１２と通信接続されたかどうかを検出する。このステップＳＰ１０で否定結果を得ると、このことは、データ記憶再生装置１１と携帯型記憶再生装置１２とが通信接続されていないことを意味し、このとき検出部２８は、このデータ送受信処理手順ＲＴ２を終了させる。
【００８３】
これに対して、このステップＳＰ１０で肯定結果を得ると、このことは、データ記憶再生装置１１と携帯型記憶再生装置１２とが通信接続されていることを意味し、このとき検出部２８は、この旨を命令割当部２２に通知する。
【００８４】
命令割当部２２は、検出部２８からデータ記憶再生装置１１と携帯型記憶再生装置１２とが通信接続されている旨の通知を受けると、つづくステップＳＰ１１において、ＧＵＩ画面Ｇｗに配置されるフォルダアイコンＦｉをワンクリックする操作入力に対して、フォルダアイコンＦｉに対応するフォルダに格納されている楽曲データを携帯型記憶再生装置１２に転送する命令（データ転送命令）を割り当てると共に、フォルダアイコンＦｉをダブルクリックする操作入力に対して、携帯型記憶再生装置１２から再生履歴を受信してフォルダアイコンＦｉに対応するフォルダに格納する命令を割り当てる。
【００８５】
制御部２０は、命令割当部２２により、命令の割り当てが完了すると、つづくステップＳＰ１２において、タッチパネル１４Ａを介してフォルダアイコンＦｉがワンクリックされたかどうかを、操作入力部２１から送られてくる操作入力に基づいて判定する。
【００８６】
このステップＳＰ１２で肯定結果を得ると、このことは、ユーザによりフォルダアイコンＦｉがワンクリックされたことを意味し、このとき制御部２０は、ステップＳＰ１３に移る。ステップＳＰ１３において制御部２０は、ワンクリックされたフォルダアイコンＦｉに対応するフォルダに格納されている楽曲データを、記憶部２４から読み出して、これを外部接続部２５Ｂより携帯型記憶再生装置１２に転送して、このデータ送受信処理手順ＲＴ２を終了させる。
【００８７】
これに対して、上述のステップＳＰ１２で否定結果を得ると、このことは、フォルダアイコンＦｉがワンクリックされていないことを意味し、このとき制御部２０は、ステップＳＰ１４に移る。ステップＳＰ１４において制御部２０は、タッチパネル１４Ａを介してフォルダアイコンＦｉがダブルクリックされたかどうかを、操作入力部２１から送られてくる操作入力に基づいて判定する。
【００８８】
このステップＳＰ１４で肯定結果を得ると、このことは、ユーザによりフォルダアイコンＦｉがダブルクリックされたことを意味し、このとき制御部２０は、ステップＳＰ１５に移る。ステップＳＰ１５において制御部２０は、携帯型記憶再生装置１２にアップロードさせた再生履歴を外部接続部２５Ｂで受信し、この再生履歴を、ダブルクリックされたフォルダアイコンＦｉに対応するフォルダに格納して、このデータ送受信処理手順ＲＴ２を終了させる。
【００８９】
一方、上述のステップＳＰ１４で否定結果を得ると、このことは、このことは、フォルダアイコンＦｉがワンクリックもダブルクリックもされていないことを意味し、このとき制御部２０は、ステップＳＰ１６に移る。ステップＳＰ１６において制御部２０は、検出部２８からデータ記憶再生装置１１と携帯型記憶再生装置１２との通信接続が解除された旨の通知を受けているかどうか判定する。
【００９０】
このステップＳＰ１６で否定結果を得ると、このことはまだデータ記憶再生装置１１と携帯型記憶再生装置１２とが通信接続されていることを意味し、このとき制御部２０は、再びステップＳＰ１２に戻り、フォルダアイコンＦｉがワンクリックもしくはダブルクリックされるのを待ち受ける。
【００９１】
これに対して、このステップＳＰ１６で肯定結果を得ると、このことはデータ記憶再生装置１１と携帯型記憶再生装置１２との通信接続が解除されたことを意味し、このとき制御部２０は、このデータ送受信処理手順ＲＴ２を終了させる。
【００９２】
このようなデータ送受信処理手順ＲＴ２にしたがって、データ記憶再生装置１１は、携帯型記憶再生装置１２に対して楽曲データを転送し、また携帯型記憶再生装置１２からアップロードさせた再生履歴を受信するようになされている。
【００９３】
ここまで説明したように、この第２の実施の形態のデータ記憶再生装置１１は、携帯型記憶再生装置１２と通信接続されると、フォルダアイコンＦｉをワンクリックする操作入力に対して、フォルダアイコンＦｉに対応するフォルダに格納されている楽曲データを携帯型記憶再生装置１２に転送する命令を割り当てると共に、フォルダアイコンＦｉをダブルクリックする操作入力に対して、携帯型記憶再生装置１２から再生履歴を受信してフォルダアイコンＦｉに対応するフォルダに格納する命令を割り当てる。
【００９４】
そしてデータ記憶再生装置１１は、携帯型記憶再生装置１２と通信接続されている状態で、実際にフォルダアイコンＦｉがワンクリックされると、このフォルダアイコンＦｉに対応するフォルダに格納されている楽曲データを携帯型記憶再生装置１２に送信し、フォルダアイコンＦｉがダブルクリックされると、携帯型記憶再生装置１２から再生履歴を受信してダブルクリックされたフォルダアイコンＦｉに対応するフォルダに格納するようにした。
【００９５】
こうすることで、この第２の実施の形態のデータ記憶再生装置１１は、携帯型記憶再生装置１２と通信接続されている場合に、所望のフォルダに対応するフォルダアイコンＦｉをワンクリック、もしくはダブルクリックさせるだけで、このフォルダに格納している楽曲データを携帯型記憶再生装置１２に転送、もしくは携帯型記憶再生装置１２から再生履歴を受信してこのフォルダに格納することができ、かくして簡易な操作でユーザ所望の楽曲データを携帯型記憶再生装置１２に転送することができると共に、ユーザ所望のフォルダに携帯型記憶再生装置１２から受信した再生履歴を格納することができる。
【００９６】
またこのデータ記憶再生装置１１は、フォルダアイコンＦｉへのダブルクリック操作に対して、そのときの携帯型記憶再生装置１２との通信接続状況に適した命令を割り当てるようにしたことにより、フォルダアイコンＦｉをダブルクリックする一つの操作入力方法で、そのときの通信接続状況に適した処理（フォルダの中身を表示する処理、または携帯型記憶再生装置１２から受信した再生履歴をフォルダに格納する処理）を実行することができる。こうすることで、このデータ記憶再生装置１１は、ユーザに覚えさせる操作入力方法を最小限にして簡易な操作で多くの処理を実行することができる。
【００９７】
（３）第３の実施の形態
次に、第３の実施の形態について説明する。ここでは、まずこの第３の実施の形態の概要から説明する。
【００９８】
（３−１）第３の実施の形態の概要
図１２において１００は、情報処理装置の機能ブロックを示す。この情報処理装置１００は、外部装置と無線でデータの送受信を行う無線通信部１０１と、無線通信部１０１とデータの送受信が可能で、且つ最も近傍に位置する外部装置を検出する検出部１０２と、操作入力を受け付ける操作入力部１０３と、検出部１０２により外部装置が検出されている状態で、操作入力部１０３が表示部に表示されているデータ格納場所に対応するシンボルへの操作を受け付けると、無線通信部１０１がシンボルに対応するデータ格納場所に格納されたデータを検出されている外部装置に送信するように制御する制御部１０４とを有する。
【００９９】
このような機能構成により、情報処理装置１００は、任意のデータ格納場所に対応するシンボルへの操作のみで、任意のデータ格納場所に格納されているユーザ所望のデータを最も近傍に位置する外部装置に無線で送信することができるので、所望のデータを容易に転送することができる。
【０１００】
（３−２）第３の実施の形態の具体例
（３−２−１）データ転送システムの構成
つづけて、第３の実施の形態の具体例を説明する。図１３において１１０は、データ転送システムを示す。このデータ転送システム１１０は、データ（例えば楽曲データ）の記憶及び再生機能を持つデータ記憶再生装置１１１と、楽曲データの記憶及び再生機能を持つ複数の携帯型記憶再生装置ＰＡ（ＰＡ１、ＰＡ２、…、ＰＡｎ）とで構成され、これらデータ記憶再生装置１１１と複数の携帯型記憶再生装置ＰＡとが、無線により通信接続されるようになされている。ちなみに、このデータ転送システム１１０のデータ記憶再生装置１１１が、上述した情報処理装置１００の具体例である。
【０１０１】
データ記憶再生装置１１１は、キーボード及びマウスでなる操作部１１２を介したユーザによる操作入力に応じて、ＣＤからリッピングした楽曲データや、ネットワークＮＴ上の楽曲配信サーバ（図示せず）からダウンロードした楽曲データを、内蔵の記憶部に記憶するようになされている。また、データ記憶再生装置１１１は、このようにして内蔵の記憶部に記憶した楽曲データのうちの任意の楽曲データを、操作部１１２を介したユーザによる操作入力に応じて、再生するようになされている。
【０１０２】
さらに、データ記憶再生装置１１１は、操作部１１２を介したユーザによる操作入力により、記憶部に記憶している楽曲データのうちの任意の楽曲データを携帯型記憶再生装置ＰＡに転送するよう指示されると、これに応じて、記憶部から指定の楽曲データを読み出して、これを無線で所定の携帯型記憶再生装置ＰＡに送信するようになされている。
【０１０３】
一方、携帯型記憶再生装置ＰＡは、無線によりデータ記憶再生装置１１１から転送されてくる楽曲データを内蔵の記憶部（図示せず）に記憶する。そして携帯型記憶再生装置ＰＡは、例えば携帯された状態でユーザにより任意の楽曲データを再生するよう指示されると、これに応じて、記憶部から楽曲データを読み出して再生する。
【０１０４】
このように、この第３の実施の形態のデータ転送システム１１０では、データ記憶再生装置１１１の操作部１１２を介した操作入力に応じて、データ記憶再生装置１１１が、記憶している楽曲データのうちの任意の楽曲データを携帯型記憶再生装置ＰＡに無線で転送するようになされている。
【０１０５】
（３−２−２）データ記憶再生装置及び携帯型記憶再生装置の機能構成
次に、データ記憶再生装置１１１及び携帯型記憶再生装置ＰＡの機能構成について説明する。まず、図１４を用いて、データ記憶再生装置１１１の機能構成から説明する。データ記憶再生装置１１１は、制御部１２０が各部を統括的に制御するようになされている。
【０１０６】
具体的に言うと、制御部１２０は、操作部１１２を介した操作入力を操作入力部１２１で受け付ける。制御部１２０は、このとき操作入力部１２１で受け付けた操作入力が、例えば、ＣＤから楽曲データをリッピングする命令が割り当てられている操作入力である場合、この命令をＣＤリッピング部１２２に送る。
【０１０７】
ＣＤリッピング部１２２は、挿入されたＣＤから楽曲データを読み出し、この楽曲データに対してデータ形式の変換処理などの所定のリッピング処理を施すことによりリッピング楽曲データを得、このリッピング楽曲データを記憶部１２３に記憶する。実際上、この記憶部１２３には、論理的なデータ格納場所となるフォルダが生成されており、ＣＤリッピング部１２２は、例えばユーザにより指定されたフォルダにリッピング楽曲データを格納することで、リッピング楽曲データを記憶部１２３に記憶するようになされている。ちなみに、このフォルダは、ユーザによる操作入力に基づき、制御部１２０が記憶部１２３に生成、または記憶部１２３から削除し得るものである。
【０１０８】
また、このときＣＤリッピング部１２２は、ＣＤのＴＯＣ（Table Of Contents）情報などを基に、リッピング楽曲データの収録アルバム名、曲名、アーティスト名、ジャンル、再生時間、曲ＩＤなどの関連情報を、例えば、通信部１２４のネットワーク接続部１２４Ａを介して通信接続されたネットワークＮＴ上の関連情報配信サーバ（図示せず）から取得し、これをリッピング楽曲データと共に、記憶部１２３に記憶するようにもなされている。
【０１０９】
また制御部１２０は、操作入力部１２１が、例えば、ネットワークＮＴ上の楽曲配信サーバから任意の楽曲データをダウンロードする命令が割り当てられている操作入力を受け付けると、これに応じて、指定された楽曲データの配信要求を通信部１２４のネットワーク接続部１２４Ａを介して通信接続された楽曲配信サーバ（図示せず）に対して送信する。この結果、楽曲配信サーバから楽曲データが送信されてくると、制御部１２０は、これをネットワーク接続部１２４Ａにより受信して記憶部１２３の例えばユーザにより指定されたフォルダに格納する。ちなみに、楽曲配信サーバから配信される楽曲データには、あらかじめ関連情報が付与されているとする。
【０１１０】
このようにしてデータ記憶再生装置１１１は、ＣＤからリッピングした楽曲データや、楽曲配信サーバからダウンロードした楽曲データを、ユーザに指定されたフォルダに格納することで、記憶部１２３に記憶するようになされている。
【０１１１】
また制御部１２０は、このようにしてフォルダに格納した楽曲データの一部または全部を、ユーザによる操作入力に基づいて、別のフォルダや、新たに生成したフォルダに移動させるようにもなされている。
【０１１２】
さらに制御部１２０は、操作入力部１２１が、例えば、記憶部１２３に記憶している楽曲データのうちの任意の楽曲データを再生する命令が割り当てられている操作入力を受け付けると、これに応じて、指定された楽曲データを記憶部１２３から読み出して再生部１２５に送る。再生部１２５は、送られてくる楽曲データに対して所定の再生処理を施すことにより楽曲信号に変換した後、この楽曲信号を出力部１２６に送る。この結果、出力部１２６から楽曲信号に基づく楽曲が出力される。
【０１１３】
このようにしてデータ記憶再生装置１１１は、記憶部１２３に記憶している楽曲データを再生するようになされている。
【０１１４】
またこのデータ記憶再生装置１１１は、通信部１２４の無線通信部１２４Ｂを介して１以上の携帯型記憶再生装置ＰＡと無線で通信接続されると、検出部１２７が無線通信部１２４Ｂを介して通信接続されている１以上の携帯型記憶再生装置ＰＡのなかから、最もデータ記憶再生装置１１１の近傍に位置する携帯型記憶再生装置ＰＡを検出するようになされている。
【０１１５】
実際上、無線通信部１２４Ｂは、携帯型記憶再生装置ＰＡとの距離が所定の範囲内になると、自動的にこの携帯型記憶再生装置ＰＡとの通信接続を開始するようになされている。そして検出部１２７は、例えば、所定の範囲内に位置することで無線通信部１２４Ｂと通信接続している１以上の携帯型記憶再生装置ＰＡのそれぞれから受信した電波の強度を携帯型記憶再生装置ＰＡごとに無線通信部１２４Ｂより取得して、取得した強度のうちの最も高い強度に対応する携帯型記憶再生装置ＰＡを、最もデータ記憶再生装置１１１の近傍に位置する携帯型記憶再生装置ＰＡとして検出するようになされている。
【０１１６】
このようにして、検出部１２７により、無線通信部１２４Ｂを介して無線で通信接続されている携帯型記憶再生装置ＰＡのうちの最も近傍に位置する携帯型記憶再生装置ＰＡが検出されている状態で、操作入力部１２１が記憶部１２３に生成されている任意のフォルダを指定する命令が割り当てられている操作入力を受け付けると、制御部１２０は、これに応じて、指定されたフォルダに格納されている楽曲データを記憶部１２３から読み出して、これを通信部１２４の無線通信部１２４Ｂを介して最も近傍に位置する携帯型記憶再生装置ＰＡに無線で送信する。
【０１１７】
このようにしてデータ記憶再生装置１１１は、記憶部１２３に記憶している楽曲データを、通信接続されている携帯型再生装置ＰＡのうちの最も近傍に位置する携帯型記憶再生装置ＰＡに無線で転送するようになされている。
【０１１８】
ここで、任意のフォルダを指定する命令が割り当てられている操作入力について説明する。データ記憶再生装置１１１の制御部１２０は、電源が投入されると、記憶部１２３からＧＵＩ画面用のデータを読み出し、このＧＵＩ画面用のデータと記憶部１２３のフォルダ構成などに基づきＧＵＩ画面データを生成し、これを表示部１２８に送る。表示部１２８は、送られてくるＧＵＩ画面データに基づいて、図１５に示すようなＧＵＩ画面Ｇｗｘを表示する。
【０１１９】
このＧＵＩ画面Ｇｗｘには、記憶部１２３に記憶されているアプリケーションに対応するアプリケーションアイコンＡｉと、記憶部１２３に生成されたフォルダに対応するフォルダアイコンＦｉとが、それぞれの名称と共に配置される。実際上、図１５に示したＧＵＩ画面Ｇｗｘは、リッピングアプリケーションに対応するアプリケーションアイコンＡｉ１０及びその名称「リッピング」と、楽曲データ再生アプリケーションに対応するアプリケーションアイコンＡｉ１１及びその名称「プレイヤ」と、フォルダＡに対応するフォルダアイコンＦｉ１０及びその名称「フォルダＡ」、フォルダＢに対応するフォルダアイコンアイコンＦｉ１１とその名称「フォルダＢ」とが配置された例である。
【０１２０】
またこのＧＵＩ画面Ｇｗｘには、操作部１１２を介してＧＵＩ画面Ｇｗｘ内を移動可能な矢印形状のカーソルＣｕが表示される。
【０１２１】
このようなＧＵＩ画面Ｇｗｘが表示部１２８に表示されている状態で、例えば、図１６に示すように、操作部１１２を介してカーソルＣｕをフォルダＡに対応するフォルダアイコンＦｉ１０上に移動させて、操作部１１２の所定ボタンを１回だけ押下（これをワンクリックとも呼ぶ）する操作がユーザにより行われると、操作入力部１２１は、この操作入力を、制御部１２０に伝える。
【０１２２】
制御部１２０は、この操作入力がフォルダを指定する命令が割り当てられている操作入力であると認識して、この操作入力に応じてフォルダアイコンＦｉ１０を例えば強調表示すると共に、このフォルダアイコンＦｉ１０に対応するフォルダを指定する。フォルダＢに対応するフォルダアイコンＦｉ１０がワンクリックされた場合も同様である。
【０１２３】
このようなフォルダアイコンＦｉをワンクリックする操作入力が、任意のフォルダを指定する命令が割り当てられている操作入力である。
【０１２４】
すなわち、制御部１２０は、検出部１２７により、無線通信部１２４Ｂを介して無線で通信接続されている携帯型記憶再生装置ＰＡのうちの最も近傍に位置する携帯型記憶再生装置ＰＡが検出されている状態で、操作入力部１２１がフォルダアイコンＦｉをワンクリックする操作入力（つまりフォルダアイコンＦｉに対応するフォルダを指定する操作入力）を受け付けると、ワンクリックされたフォルダアイコンＦｉに対応するフォルダに格納されている楽曲データを記憶部１２３から読み出して、これを通信部１２４の無線通信部１２４Ｂを介して最も近傍に位置する携帯型記憶再生装置ＰＡに無線で送信するようになされている。
【０１２５】
このような機能構成により、このデータ記憶再生装置１１１は、転送させたい楽曲データを格納しているフォルダに対応するフォルダアイコンＦｉをユーザにワンクリックさせるだけで、このフォルダに格納している楽曲データを最も近傍に位置する携帯型記憶再生装置１２に無線で送信することができる。
【０１２６】
つまり、このデータ記憶再生装置１１１は、ユーザに、所望の携帯型記憶再生装置ＰＡをデータ記憶再生装置１１１の最も近傍に置かせて、この携帯型記憶再生装置ＰＬに転送させたい楽曲データを格納しているフォルダに対応するフォルダアイコンＦｉをワンクリックさせるだけで、このフォルダに格納している楽曲データ（つまりユーザが携帯型記憶再生装置ＰＡに転送させたい楽曲データ）を最も近傍に位置する携帯型記憶再生装置（つまりユーザが楽曲データを転送させたい携帯型記憶再生装置）ＰＡに無線で送信することができ、かくして簡易な操作でユーザ所望の楽曲データを所望の携帯型記憶再生装置ＰＡに転送することができる。
【０１２７】
次に、図１７を用いて、携帯型記憶再生装置ＰＡの機能構成について説明する。ちなみに、複数の携帯型記憶再生装置ＰＡ１、ＰＡ２、…、ＰＡｎのそれぞれの機能構成は全て同様の機能構成であるとする。
【０１２８】
携帯型記憶再生装置ＰＡは、制御部１３０が各部を統括的に制御するようになされている。具体的に言うと、制御部１３０は、無線通信部１３１を介して無線で通信接続されているデータ記憶再生装置１１１から転送されてくる楽曲データを、無線通信部１３１により受信して記憶部１３２に記憶する。ちなみに、データ記憶再生装置１１１から転送されてくる楽曲データには、関連情報が付されているとする。
【０１２９】
その後、ユーザにより操作部１３３を介して記憶部１３２に記憶している任意の楽曲データを再生するよう指示されると、制御部１３０は、これに応じて、指定の楽曲データを記憶部１３２から読み出して再生部１３４に送る。また、このとき制御部１３０は、この楽曲データの関連情報を記憶部１３２から読み出して、表示部１３６に送る。
【０１３０】
再生部１３４は、送られてくる楽曲データに対して所定の再生処理を施すことにより楽曲信号に変換した後、この楽曲信号をイヤホンである出力部１３５に送る。この結果、出力部１３５から楽曲信号に基づく楽曲が出力される。また表示部１３６は、送られてくる関連情報に基づき、再生中の楽曲データに対応する曲名、アーティスト名、再生経過時間などを表示する。
【０１３１】
このようにして、携帯型記憶再生装置ＰＡは、データ記憶再生装置１１１から無線で転送されてくる楽曲データを記憶して、必要に応じて再生するようになされている。
【０１３２】
（３−２−３）データ転送処理手順
ここで、上述したデータ記憶再生装置１１１が携帯型記憶再生装置ＰＡへ楽曲データを転送するときのデータ転送処理手順について、図１８に示すフローチャートを用いて説明する。ちなみに、このデータ転送処理手順は、主として、データ記憶再生装置１１１の制御部１２０、検出部１２７により実行される処理の手順である。
【０１３３】
データ記憶再生装置１１１の検出部１２７は、例えば、電源が投入されると、データ転送処理手順ＲＴ３のステップＳＰ１００において、無線通信部１２４Ｂにより少なくとも１以上の携帯型記憶再生装置ＰＡと無線で通信接続されているかどうかを判定する。このステップＳＰ１００で否定結果を得ると、このことは、データ記憶再生装置１１１がどの携帯型記憶再生装置ＰＡとも通信接続されていないことを意味し、このとき検出部１２７は、このデータ転送処理手順ＲＴ３を終了させる。
【０１３４】
これに対して、このステップＳＰ１００で肯定結果を得ると、このことは、データ記憶再生装置１１１が少なくとも１以上の携帯型記憶再生装置ＰＡと通信接続されていることを意味し、このとき検出部１２７は、ステップＳＰ１０１に移る。
【０１３５】
ステップＳＰ１０１において検出部１２７は、通信接続されている１以上の携帯型記憶再生装置ＰＡのなかから、データ記憶再生装置１１１の最も近傍に位置する携帯型記憶再生装置ＰＡを検出して、これを制御部１１１に伝える。
【０１３６】
制御部１１１は、検出部１２７から最も近傍に位置する携帯型記憶再生装置ＰＡがどれであるのかが伝えられると、つづくステップＳＰ１０２において、操作部１１２を介してＧＵＩ画面Ｇｗｘに配置されているフォルダアイコンＦｉがワンクリックされたかどうかを、操作入力部１２１から送られてくる操作入力に基づいて判定する。
【０１３７】
このステップＳＰ１０２において肯定結果を得ると、このことは、ユーザによりフォルダアイコンＦｉがワンクリックされたことを意味し、このとき制御部１２０は、ステップＳＰ１０３に移る。ステップＳＰ１０３において制御部１２０は、ワンクリックされたフォルダアイコンＦｉに対応するフォルダに格納されている楽曲データを、記憶部１２３から読み出して、これを無線通信部１２４Ｂより最も近傍に位置する携帯型記憶再生装置ＰＡに転送して、このデータ転送処理手順ＲＴ３を終了させる。
【０１３８】
これに対して、上述のステップＳＰ１０２で否定結果を得ると、このことは、まだフォルダアイコンＦｉがワンクリックされていないことを意味し、このとき制御部１２０は、ステップＳＰ１０４に移る。ステップＳＰ１０４において制御部１２０は、検出部１２７からデータ記憶再生装置１１１と最も近傍に位置する携帯型記憶再生装置ＰＡとの通信接続が解除された旨の通知を受けているかどうか判定する。
【０１３９】
このステップＳＰ１０４で否定結果を得ると、このことはまだデータ記憶再生装置１１１と最も近傍に位置する携帯型記憶再生装置ＰＡとが通信接続されていることを意味し、このとき制御部１２０は、再びステップＳＰ１０２に戻り、フォルダアイコンＦｉがワンクリックされるのを待ち受ける。
【０１４０】
これに対して、このステップＳＰ１０４で肯定結果を得ると、このことはデータ記憶再生装置１１１と最も近傍に位置する携帯型記憶再生装置ＰＡとの通信接続が解除されたことを意味し、このとき制御部１２０は、このデータ転送処理手順ＲＴ３を終了させる。なお、制御部１２０が、上述のステップＳＰ１０４で肯定結果を得た場合に、このデータ転送処理手順ＲＴ３を終了させずに、ステップＳＰ１００に戻り、他の携帯型記憶再生装置ＰＡと通信接続されているかどうかを判定するようにしてもよい。
【０１４１】
このようなデータ転送処理手順ＲＴ３にしたがって、データ記憶再生装置１１１は、最も近傍に位置する携帯型記憶再生装置ＰＡに対して楽曲データを無線で転送するようになされている。
【０１４２】
（３−２−４）第３の実施の形態による動作及び効果
以上の構成において、データ記憶再生装置１１１は、楽曲データを、記憶部１２３に生成したフォルダに格納するようにして記憶する。またデータ記憶再生装置１１１は、記憶部１２３に生成したフォルダに対応するフォルダアイコンＦｉが配置されたＧＵＩ画面Ｇｗｘを表示部１２８に表示する。
【０１４３】
さらにデータ記憶再生装置１１１は、１以上の携帯型記憶再生装置ＰＡと無線で通信接続されると、通信接続されている１以上の携帯型記憶再生装置ＰＡのなかから、最も近傍に位置する携帯型記憶再生装置ＰＡを検出する。
【０１４４】
そしてデータ記憶再生装置１１１は、通信接続されている１以上の携帯型記憶再生装置ＰＡのうちの最も近傍に位置する携帯型記憶再生装置ＰＡが検出されている状態で、ＧＵＩ画面Ｇｗｘに配置されたフォルダアイコンＦｉがワンクリックされると（つまりフォルダアイコンＦｉに対応するフォルダが指定されると）、このフォルダアイコンＦｉに対応するフォルダに格納されている楽曲データを記憶部１２３から読み出して、これを無線通信部１２４Ｂを介して最も近傍に位置する携帯型記憶再生装置ＰＡに無線で送信する。
【０１４５】
こうすることで、このデータ記憶再生装置１１１は、転送させたい楽曲データを格納しているフォルダに対応するフォルダアイコンＦｉをユーザにワンクリックさせるだけで、このフォルダに格納している楽曲データを最も近傍に位置する携帯型記憶再生装置ＰＡに無線で送信することができる。
【０１４６】
以上の構成によれば、データ記憶再生装置１１１は、無線で通信接続されている１以上の携帯型記憶再生装置ＰＡのうちの最も近傍に位置する携帯型記憶再生装置ＰＡを検出している状態で、フォルダアイコンＦｉがワンクリックされると、このフォルダアイコンＦｉに対応するフォルダに格納されている楽曲データを、検出している携帯型記憶再生装置ＰＡに送信するようにしたことにより、ユーザに、所望の携帯型記憶再生装置ＰＡをデータ記憶再生装置１１１の最も近傍に置かせて、この携帯型記憶再生装置ＰＡに転送させたい楽曲データを格納しているフォルダに対応するフォルダアイコンＦｉをワンクリックさせるだけで、このフォルダに格納している楽曲データ（つまりユーザが携帯型記憶再生装置ＰＡに転送させたい楽曲データ）をこの携帯型記憶再生装置ＰＡに送信することができ、かくして簡易な操作で容易にユーザ所望の楽曲データをユーザ所望の携帯型記憶再生装置ＰＡに転送することができる。
【０１４７】
（４）第４の実施の形態
次に第４の実施の形態について説明する。この第４の実施の形態では、上述した第１乃至第３の実施の形態のデータ記憶再生装置１１及び１１１、携帯型記憶再生装置１２及びＰＡをハードウェア構成により実現する。
【０１４８】
図１９に示すデータ記憶再生装置２００は、上述した第１乃至第３の実施の形態の機能構成のデータ記憶再生装置１１及び１１１をハードウェア構成により実現した例であり、タッチパネル、キーボード及びマウスなどでなる入力デバイス２０１がユーザによって操作されると、入力デバイス２０１でこれを認識し、その操作に応じた操作入力信号を入力処理部２０２に送る。入力処理部２０２は、供給される操作入力信号に対して所定の処理を施すことにより、操作入力信号を操作コマンドに変換し、これをバス２０３を介してＣＰＵ（Central Processing Unit）２０４に送る。
【０１４９】
ＣＰＵ２０４は、ＲＯＭ（Read Only Memory）２０５又はハードディスクドライブ２０６にあらかじめ記憶されている基本プログラムやアプリケーションプログラムなどの各種プログラムをバス２０３を介してＲＡＭ（Random Access Memory）２０７に読み出す。そしてＣＰＵ２０４は、ＲＡＭ２０７上で展開したこれら各種プログラムに従って全体を制御すると共に、所定の演算処理や、入力処理部２０２から与えられる操作コマンドに応じた各種処理を実行する。
【０１５０】
具体的に言うと、ＣＰＵ２０４は、例えば、ユーザにより入力デバイス２０１を介してドライブ２０８に挿入されたＣＤから楽曲データをリッピングするよう指示する操作入力信号が入力されると、ドライブ２０８に挿入されたＣＤから楽曲データを読み出して、この楽曲データに対してデータ形式の変換処理などのリッピング処理を施すことによりリッピング楽曲データを得、これをハードディスクドライブ２０６に任意に生成されるフォルダに格納することで記憶する。
【０１５１】
またＣＰＵ２０４は、必要に応じて、有線通信処理部２０９及びネットワークインタフェース２１０を順次介してネットワークＮＴ上のサーバと通信接続し、サーバとの間で種々のデータをやり取りする。
【０１５２】
さらにＣＰＵ２０４は、必要に応じて、無線通信処理部２１１及びアンテナ２１２を順次介して無線で外部装置（例えば携帯型記憶再生装置１２またはＰＡ）と通信接続し、外部装置との間で種々のデータをやり取りする。
【０１５３】
さらにＣＰＵ２０４は、必要に応じて、外部接続処理部２１３及び外部接続インタフェース２１４を順次介して外部装置（例えば携帯型記憶再生装置１２またはＰＡ）と通信接続し、外部装置との間で種々のデータをやり取りする。
【０１５４】
このようにして、他の装置との間でやり取りされるデータ（例えば楽曲データ）は、ハードディスクドライブ２０６の任意のフォルダに格納されることで記憶され、また必要に応じて読み出される。
【０１５５】
さらにＣＰＵ２０４は、例えば、ユーザにより入力デバイス２０１を介してハードディスクドライブ２０６のフォルダに格納されている楽曲データを再生するよう指示する操作入力信号が入力されると、ハードディスクドライブ２０６から入力デバイス２０１を介して指定された楽曲データを読み出して、これをバス２０３経由で音声処理部２１５に送る。音声処理部２１５は、楽曲データに対して復号処理、デジタルアナログ変換処理及び増幅処理などの音声処理を施して、この結果得られた楽曲信号をスピーカ２１５に送出する。この結果、スピーカ２１６からこの楽曲信号に基づく楽曲が出力される。
【０１５６】
さらにＣＰＵ２０４は、必要に応じて、ハードディスクドライブ２０６からＧＵＩ画面用のデータを読み出し、このＧＵＩ画面用のデータとハードディスクドライブ２０６のフォルダ構成などに基づきＧＵＩ画面データを生成して、これをバス２０３経由で表示処理部２１７に送る。表示処理部２１７は、ＧＵＩ画面データに基づくフォルダアイコンが配置されたＧＵＩ画面をディスプレイ２１８に表示する。
【０１５７】
ところで、このデータ記憶再生装置２００は、ＣＰＵ２０４がＲＯＭ２０５またはハードディスクドライブ２０６にあらかじめ記憶された各種プログラムにしたがって各種処理を実行するようになされているので、上述した第１及び第２の実施の形態による機能構成のデータ記憶再生装置１１（図３）の各種機能及び実行する処理に応じて、ＲＯＭ２０５またはハードディスクドライブ２０６に記憶させる各種プログラムを適宜選定することにより、ＣＰＵ２０４を機能構成の制御部２０、命令割当部２２及び検出部２８と同様に機能させることができ、また入力デバイス２０１を機能構成のタッチパネル１４Ａと同様に機能させることができ、入力処理部２０２を機能構成の操作入力部２１と同様に機能させることができ、ハードディスクドライブ２０６を機能構成の記憶部２４と同様に機能させることができ、有線通信処理部２０９及びネットワークインタフェース２１０を機能構成のネットワーク接続部２５Ａと同様に機能させることができ、外部接続処理部２１３及び外部接続インタフェース２１４を機能構成の外部接続部２５Ｂと同様に機能させることができ、ＣＰＵ２０４及びドライブ２０８を機能構成のリッピング部２３と同様に機能させることができ、音声処理部２１５を機能構成の再生部２６と同様に機能させることができ、スピーカ２１６を機能構成の出力部２７と同様に機能させることができ、表示処理部２１７及びディスプレイ２１８を機能構成の表示部１４Ｂと同様に機能させることができる。
【０１５８】
また同様に、このデータ記憶再生装置２００は、上述した第３の実施の形態による機能構成のデータ記憶再生装置１１１（図１４）の各種機能及び実行する処理に応じて、ＲＯＭ２０５またはハードディスクドライブ２０６に記憶させる各種プログラムを適宜選定することにより、ＣＰＵ２０４を機能構成の制御部１２０及び検出部１２７と同様に機能させることができ、また入力デバイス２０１を機能構成の操作部１１２と同様に機能させることができ、入力処理部２０２を機能構成の操作入力部１２１と同様に機能させることができ、ハードディスクドライブ２０６を機能構成の記憶部１２３と同様に機能させることができ、有線通信処理部２０９及びネットワークインタフェース２１０を機能構成のネットワーク接続部１２４Ａと同様に機能させることができ、無線通信処理部２１１及びアンテナ２１２を機能構成の無線通信部１２４Ｂと同様に機能させることができ、ＣＰＵ２０４及びドライブ２０８を機能構成のリッピング部１２２と同様に機能させることができ、音声処理部２１５を機能構成の再生部１２５と同様に機能させることができ、スピーカ２１６を機能構成の出力部１２６と同様に機能させることができ、表示処理部２１７及びディスプレイ２１８を機能構成の表示部１２８と同様に機能させることができる。
【０１５９】
したがって、この第４の実施の形態のデータ記憶再生装置２００は、図１９に示すようなハードウェア構成で、上述した第１乃至第３の実施の形態での機能構成による各種機能を実現することができ、かくして、上述した第１乃至第３の実施の形態と同様の効果を得ることができる。
【０１６０】
ちなみに、このデータ記憶再生装置２００の入力デバイスは、タッチパネルと、キーボード及びマウスとのどちらか一方でもよい。またこのデータ記憶再生装置２００の通信接続手段は、無線通信処理部２１１及びアンテナ２１２と、外部接続処理部２１３及び外部接続インタフェース２１４とのどちらか一方でもよい。
【０１６１】
一方、図２０に示す携帯型記憶再生装置３００は、上述した第１乃至第３の実施の形態による機能構成の携帯型記憶再生装置１２及びＰＡをハードウェア構成により実現した例であり、キーやボタンでなる入力デバイス３０１がユーザによって操作されると、入力デバイス３０１でこれを認識し、その操作に応じた操作入力信号を入力処理部３０２に送る。入力処理部３０２は、供給される操作入力信号に対して所定の処理を施すことにより、操作入力信号を操作コマンドに変換し、これをバス３０３を介してＣＰＵ３０４に送る。
【０１６２】
ＣＰＵ３０４は、ＲＯＭ３０５又はハードディスクドライブ３０６にあらかじめ記憶されている基本プログラムやアプリケーションプログラムなどの各種プログラムをバス３０３を介してＲＡＭ３０７に読み出す。そしてＣＰＵ３０４は、ＲＡＭ３０７上で展開したこれら各種プログラムに従って全体を制御すると共に、所定の演算処理や、入力処理部３０２から与えられる操作コマンドに応じた各種処理を実行する。
【０１６３】
具体的に言うと、ＣＰＵ３０４は、必要に応じて、無線通信処理部３０８及びアンテナ３０９を順次介して無線で外部装置（例えデータ記憶再生装置１１または１１１）と通信接続し、外部装置との間で種々のデータをやり取りする。
【０１６４】
さらにＣＰＵ３０４は、必要に応じて、外部接続処理処理部３１０及び外部接続インタフェース３１１を順次介して外部装置（例えばデータ記憶再生装置１１または１１１）と通信接続し、外部装置との間で種々のデータをやり取りする。
【０１６５】
このようにして、外部装置との間でやり取りされるデータ（例えば楽曲データ）は、ハードディスクドライブ３０６に記憶され、また必要に応じて読み出される。
【０１６６】
さらにＣＰＵ３０４は、例えば、ユーザにより入力デバイス３０１を介してハードディスクドライブ３０６に記憶されている楽曲データを再生するよう指示する操作入力信号が入力されると、ハードディスクドライブ３０６から入力デバイス３０１を介して指定された楽曲データを読み出して、これをバス３０３経由で音声処理部３１２に送る。音声処理部３１２は、楽曲データに対して復号処理、デジタルアナログ変換処理及び増幅処理などの音声処理を施して、この結果得られた楽曲信号をイヤホン３１３に送出する。この結果、イヤホン３１３からこの楽曲信号に基づく楽曲が出力される。
【０１６７】
また、このときＣＰＵ３０４は、再生するよう指示された楽曲データの関連情報をハードディスクドライブ３０６から読み出して、これをバス３０３経由で表示処理部３１４に送る。表示処理部３１４は、関連情報に基づく曲名、アーティスト名、再生経過時間などをディスプレイ３１５に表示する。
【０１６８】
ところで、この携帯型記憶再生装置３００は、ＣＰＵ３０４がＲＯＭ３０５またはハードディスクドライブ３０６にあらかじめ記憶された各種プログラムにしたがって各種処理を実行するようになされているので、上述した第１及び第２の実施の形態による機能構成の携帯型記憶再生装置１２（図９）の各種機能及び実行する処理に応じて、ＲＯＭ３０５またはハードディスクドライブ３０６に記憶させる各種プログラムを適宜選定することにより、ＣＰＵ３０４を機能構成の制御部３０と同様に機能させることができ、また入力デバイス３０１及び入力処理部３０２を機能構成の操作部３３と同様に機能させることができ、ハードディスクドライブ３０６を機能構成の記憶部３２と同様に機能させることができ、外部接続処理部３１０及び外部接続インタフェース３１１を機能構成の外部接続部３１と同様に機能させることができ、音声処理部３１２を機能構成の再生部３４と同様に機能させることができ、イヤホン３１３を機能構成の出力部３５と同様に機能させることができ、表示処理部３１４及びディスプレイ３１５を機能構成の表示部３６と同様に機能させることができる。
【０１６９】
また同様に、この携帯型記憶再生装置３００は、上述した第３の実施の形態による機能構成の携帯型記憶再生装置ＰＡ（図１７）の各種機能及び実行する処理に応じて、ＲＯＭ３０５またはハードディスクドライブ３０６に記憶させる各種プログラムを適宜選定することにより、ＣＰＵ３０４を機能構成の制御部１３０と同様に機能させることができ、また入力デバイス３０１及び入力処理部３０２を機能構成の操作部１３３と同様に機能させることができ、ハードディスクドライブ３０６を機能構成の記憶部１３２と同様に機能させることができ、無線通信処理部３０８及びアンテナ３０９を機能構成の無線通信部１３１と同様に機能させることができ、音声処理部３１２を機能構成の再生部１３４と同様に機能させることができ、イヤホン３１３を機能構成の出力部１３５と同様に機能させることができ、表示処理部３１４及びディスプレイ３１５を機能構成の表示部１３６と同様に機能させることができる。
【０１７０】
したがって、この第４の実施の形態の携帯型記憶再生装置３００は、図２０に示すようなハードウェア構成で、上述した第１乃至第３の実施の形態での機能構成による各種機能を実現することができ、かくして、上述した第１乃至第３の実施の形態と同様の効果を得ることができる。
【０１７１】
ちなみに、この携帯型記憶再生装置３００の通信接続手段は、無線通信処理部３０８及びアンテナ３０９と、外部接続処理部３１０及び外部接続インタフェース３１１とのどちらか一方でもよい。
【０１７２】
また、この第４の実施の形態では、データ記憶再生装置２００のＣＰＵ２０４がＲＯＭ２０５またはハードディスクドライブ２０６にあらかじめ記憶された各種プログラムにしたがって、各種処理を実行する場合について述べたが、本発明はこれに限らず、各種プログラムを、ＣＤ（Compact Disc）やＤＶＤ（Digital Versatile Disc）などの記録媒体に記録しておき、ＣＰＵ２０４がドライブ２０８によりこの記録媒体から読み出した各種プログラムにしたがって、各種処理を実行するようにしてもよいし、各種プログラムをこの記録媒体からハードディスクドライブ２０６にインストールして実行するようにしてもよい。
【０１７３】
また携帯型記憶再生装置３００についても同様に、各種プログラムを、ＣＤやＤＶＤなどの記録媒体に記録しておき、ＣＰＵ３０３がこの記録媒体から読み出した各種プログラムにしたがって、各種処理を実行するようにしてもよいし、各種プログラムをこの記録媒体からハードディスクドライブ３０６にインストールして実行するようにしてもよい。
【０１７４】
（５）他の実施の形態
なお、上述した第１の実施の形態では、データ記憶再生装置１１が、携帯型記憶再生装置１２と通信接続されると、フォルダアイコンＦｉをワンクリックする操作に対して、フォルダアイコンＦｉに対応するフォルダに格納されている楽曲データを携帯型記憶再生装置１２に転送する命令を割り当てるようにした場合について述べたが、本発明はこれに限らず、フォルダアイコンＦｉをワンクリックする操作に対して、このフォルダアイコンＦｉに対応するフォルダに格納されている楽曲データを携帯型記憶再生装置１２に転送すると共に、携帯型記憶再生装置１２から所定の楽曲データ（例えばこのフォルダに格納されていない楽曲データ）を受信してこのフォルダに格納する命令を割り当てるようにしてもよい。
【０１７５】
ここで、このような場合のデータ送受信処理手順について、図２１に示すフローチャートを用いて説明する。ちなみに、このデータ送受信処理手順は、主として、データ記憶再生装置１１の制御部２０、命令割当部２２、検出部２８により実行される処理の手順である。
【０１７６】
データ記憶再生装置１１の検出部２８は、例えば、電源が投入されると、データ送受信処理手順ＲＴ４のステップＳＰ１１０において、外部接続部２５Ｂにより通信ケーブル１３を介して携帯型記憶再生装置１２と通信接続されたかどうかを検出する。このステップＳＰ１１０で否定結果を得ると、このことは、データ記憶再生装置１１と携帯型記憶再生装置１２とが通信接続されていないことを意味し、このとき検出部２８は、このデータ送受信処理手順ＲＴ４を終了させる。
【０１７７】
これに対して、このステップＳＰ１１０で肯定結果を得ると、このことは、データ記憶再生装置１１と携帯型記憶再生装置１２とが通信接続されていることを意味し、このとき検出部２８は、この旨を命令割当部２２に通知する。
【０１７８】
命令割当部２２は、検出部２８からデータ記憶再生装置１１と携帯型記憶再生装置１２とが通信接続されている旨の通知を受けると、つづくステップＳＰ１１１において、ＧＵＩ画面Ｇｗに配置されるフォルダアイコンＦｉをワンクリックする操作入力に対して、フォルダアイコンＦｉに対応するフォルダに格納されている楽曲データを携帯型記憶再生装置１２に転送すると共に、携帯型記憶再生装置１２から所定の楽曲データ（例えばこのフォルダに格納されていない楽曲データ）を受信してこのフォルダに格納する命令を割り当てる。
【０１７９】
制御部２０は、命令割当部２２により、命令の割り当てが完了すると、つづくステップＳＰ１１２において、タッチパネル１４Ａを介してフォルダアイコンＦｉがワンクリックされたかどうかを、操作入力部２１から送られてくる操作入力に基づいて判定する。
【０１８０】
このステップＳＰ１１２において肯定結果を得ると、このことは、ユーザによりフォルダアイコンＦｉがワンクリックされたことを意味し、このとき制御部２０は、ステップＳＰ１１３に移る。ステップＳＰ１１３において制御部２０は、ワンクリックされたフォルダアイコンＦｉに対応するフォルダに格納されている楽曲データを、記憶部２４から読み出して、これを外部接続部２５Ｂより携帯型記憶再生装置１２に転送すると共に、外部接続部２５Ｂを介して携帯型記憶再生装置１２から所定の楽曲データ（例えばこのフォルダに格納されていない楽曲データ）を受信してこのフォルダに格納し、このデータ送受信処理手順ＲＴ４を終了させる。
【０１８１】
これに対して、上述のステップＳＰ１１２で否定結果を得ると、このことは、まだフォルダアイコンＦｉがワンクリックされていないことを意味し、このとき制御部２０は、ステップＳＰ１１４に移る。ステップＳＰ１１４において制御部２０は、検出部２８からデータ記憶再生装置１１と携帯型記憶再生装置１２との通信接続が解除された旨の通知を受けているかどうか判定する。
【０１８２】
このステップＳＰ１１４で否定結果を得ると、このことはまだデータ記憶再生装置１１と携帯型記憶再生装置１２とが通信接続されていることを意味し、このとき制御部２０は、再びステップＳＰ１１２に戻り、フォルダアイコンＦｉがワンクリックされるのを待ち受ける。
【０１８３】
これに対して、このステップＳＰ１１４で肯定結果を得ると、このことはデータ記憶再生装置１１と携帯型記憶再生装置１２との通信接続が解除されたことを意味し、このとき制御部２０は、このデータ送受信処理手順ＲＴ４を終了させる。
【０１８４】
このようなデータ送受信処理手順ＲＴ４にしたがって、データ記憶再生装置１１は、携帯型記憶再生装置１２との間で楽曲データを送受信する。
【０１８５】
こうすることで、このデータ記憶再生装置１１は、携帯型記憶再生装置１２と通信接続されている場合に、任意のフォルダアイコンＦｉをユーザにワンクリックさせるだけで、このフォルダアイコンＦｉに対応するフォルダに格納されている楽曲データを携帯型記憶再生装置１２に転送すると共に、携帯型記憶再生装置１２から所定の楽曲データを受信してこのフォルダに格納することができる。
【０１８６】
ゆえに、例えば、携帯型記憶再生装置１２から、ワンクリックされたフォルダアイコンＦｉに対応するフォルダに格納されていない楽曲データを受信するようにすれば、任意のフォルダアイコンＦｉをユーザにワンクリックさせるだけで、このフォルダに格納されている楽曲データと、携帯型記憶再生装置１２の記憶部３２に格納されている楽曲データとを同一にする（つまり同期を取る）こともできる。
【０１８７】
また、これに限らず、接続時にフォルダアイコンＦｉをワンクリックする操作に対しては、このフォルダアイコンＦｉに対応するフォルダに格納されている楽曲データを携帯型記憶再生装置１２に転送する命令を割り当て、接続時にフォルダアイコンＦｉをダブルクリックする操作に対して、携帯型記憶再生装置１２から所定の楽曲データ（例えばこのフォルダに格納されていない楽曲データ）を受信してこのフォルダに格納する命令を割り当てるようにしてもよく、これら複数の命令とワンクリック操作及びダブルクリック操作とを任意に組み合わせるようにしてもよい。
【０１８８】
さらに、タッチパネル１４Ａの代わりに少なくとも２つのボタンを有する操作部（例えばマウス）をデータ記憶再生装置１１に設け、タッチパネル１４Ａを介したワンクリック操作に割り当てていた命令を、この操作部の一方のボタン（例えばマウスの左ボタン）のワンクリック操作に割り当て、タッチパネル１４Ａを介したダブルクリック操作に割り当てていた命令を、この操作部の他方のボタン（例えばマウスの右ボタン）のワンクリック操作に割り当てるようにしてもよい。このようにすれば、マウスのような少なくとも２つ以上のボタンを有する操作部に限定されるものの、上述したような複数の命令の入力を、異なるボタンへのワンクリック操作のみで実現できる。
【０１８９】
さらに、上述の第１及び第３の実施の形態では、タッチパネル１４Ａ、もしくはキーボード及びマウスでなる操作部１１２により、所定の操作をユーザに行わせるようにした場合について述べたが、本発明はこれに限らず、これら以外の操作部（例えばタッチパッド）をデータ記憶再生装置１１及び１１１に設けて、この操作部により、所定の操作をユーザに行わせるようにしてもよい。
【０１９０】
さらに、上述の第１及び第２の実施の形態では、データ記憶再生装置１１が、携帯型記憶再生装置１２と通信接続されている場合に、任意のフォルダアイコンＦｉがワンクリックされると、無条件でこのフォルダアイコンＦｉに対応するフォルダに格納されている楽曲データを、携帯型記憶再生装置１２に転送するようにした場合について述べたが、本発明はこれに限らず、例えば、データ記憶再生装置１１の制御部２０が、フォルダに格納されている楽曲データのそれぞれが携帯型記憶再生装置１２に転送可能であるかどうかを判定して、転送可能であると判定した楽曲データのみを転送するようにしてもよい。
【０１９１】
ここで、転送可能でない楽曲データとは、例えば、データ記憶再生装置１１でのみ再生を許可する情報（これを権利情報とも呼ぶ）が付された楽曲データであり、このような楽曲データについては、携帯型記憶再生１２に転送しないようにすることで、楽曲データの不正利用を防止することもできる。
【０１９２】
また一方で、このようなデータ記憶再生装置１１でのみ再生を許可する権利情報が付されている楽曲データ（つまり携帯型記憶再生装置１２への転送が許可されていない楽曲データ）に対しては、制御部２０が、例えば、ネットワークＮＴ上の楽曲配信サーバ（図示せず）に問い合わせて携帯型記憶再生装置１２での再生を許可する（つまり転送を許可する）権利情報を取得することにより、この楽曲データを転送する許可を得たうえで、携帯型記憶再生装置１２に転送するようにしてもよい。ちなみに、携帯型記憶再生装置１２での再生を許可する権利情報の取得に対して課金が発生するのであれば、制御部２０が、ネットワークＮＴ上の楽曲配信サーバとの間で課金処理を実行するようにしてもよい。
【０１９３】
このようにすれば、楽曲データの不正利用を防止しつつ、ユーザ所望の楽曲データを確実に携帯型記憶再生装置１２に転送することができる。
【０１９４】
また、上述した第３の実施の形態では、データ記憶再生装置１１１と無線で通信接続されている１以上の携帯型記憶再生装置ＰＡのなかから、最もデータ記憶再生装置１１１の近傍に位置する携帯型記憶再生装置ＰＡに対して、楽曲データを転送するようにした場合について述べたが、本発明はこれに限らず、データ記憶再生装置１１１と無線で通信接続されている１以上の携帯型記憶再生装置ＰＡのなかに、楽曲データの転送先となる旨を示す信号を発信している携帯型記憶再生装置ＰＡが存在するならば、この携帯型記憶再生装置ＰＡを優先してこの携帯型記憶再生装置ＰＡに楽曲データを転送するようにしてもよい。
【０１９５】
この場合、携帯型記憶再生装置ＰＡは、例えば、ユーザにより操作部１２２の所定ボタンが押下されると、楽曲データの転送先となる旨を示す信号をデータ記憶再生装置１１１に対して発信するようになされている。
【０１９６】
このようにすれば、より確実に所望の楽曲データを所望の携帯型記憶再生装置ＰＡに転送することができる。
【０１９７】
さらに、上述の第１乃至第３の実施の形態では、データ格納場所に対応するシンボルとして、フォルダを模した形状のフォルダアイコンＦｉを表示するようにした場合について述べたが、本発明はこれに限らず、データ格納場所に対応するシンボルであれば、この他種々の形状を有するアイコン、ボタン、オブジェクトなどであってもよい。
【０１９８】
さらに、上述の第１乃至第４の実施の形態では、表示部（タッチパネル付表示部１４、表示部１２８、ディスプレイ２１８）を有するデータ記憶再生装置１１、１１１及び２００に本発明を適用した場合について述べたが、本発明はこれに限らず、表示部２０有さず、表示部と所定のケーブルを介して外部接続されるデータ記憶再生装置に本発明を適用するようにしてもよい。
【０１９９】
さらに、上述の第１乃至第４の実施の形態では、本発明を、データ記憶再生装置１１、１１１及び２００と携帯型記憶再生装置１２、ＰＡ及び３００との間で楽曲データを送信または送受信する場合に適用したが、本発明はこれに限らず、例えばデータ記憶再生装置１１とデータ記憶再生装置１１との間で楽曲データを送信または送受信するような場合に適用することもできるし、例えば、携帯型記憶再生装置１２にデータ記憶再生装置１１と同様の機能を持たせて、携帯型記憶再生装置１２と携帯型記憶再生装置１２との間で楽曲データを送信または送受信するような場合に適用することもできる。
【０２００】
さらに、本発明は、上述した第１乃至第４の実施の形態及びここまで説明した他の実施の形態に限定されるものではなく、これら第１乃至第４の実施の形態及びここまで説明した他の実施の形態の一部または全部を任意に組み合わせた形態、もしくは一部を抽出した形態にもその適用範囲が及ぶものである。例えば、第１の実施の形態での通信接続を、第３の実施の形態での無線による通信接続に置き換えてもよいし、第２の実施の形態での通信接続を、第３の実施の形態での無線による通信接続に置き換えてもよいし、第３の実施の形態での操作入力を、第１の実施の形態での操作入力に置き換えてもよいし、第３の実施の形態での命令割り当てを、第２の実施の形態での命令割り当てに置き換えてもよいし、第１の実施の形態でのフォルダアイコンＦｉの表示形態の変化を第３の実施の形態に組み合わせるなどしてもよい。
【０２０１】
さらに、上述した第１乃至第４の実施の形態及びここまで説明した他の実施の形態では、データとして楽曲データを送信または送受信するデータ記憶再生装置１１、１１１及び２００に本発明を適用した場合について述べたが、本発明はこれに限らず、楽曲データ以外の音声データ、映像データ、プログラムデータなど、この他種々のデータを送信または送受信する装置に適用することができ、具体的には、パーソナルコンピュータやオーディオコンポ、ＤＶＤレコーダ、ハードディスクレコーダなど、この他種々のデータを扱う装置に広く適用することができる。
【産業上の利用可能性】
【０２０２】
本発明は、データを転送する装置で広く利用することができる。
【図面の簡単な説明】
【０２０３】
【図１】第１の実施の形態の概要となる情報処理装置の機能構成を示すブロック図である。
【図２】第１の実施の形態によるデータ転送システムの構成を示す略線図である。
【図３】第１の実施の形態によるデータ記憶再生装置の機能構成を示すブロック図である。
【図４】非接続時のＧＵＩ画面の構成を示す略線図である。
【図５】フォルダアイコンをダブルクリックしたときの説明に供する略線図である。
【図６】フォルダウインドウの構成を示す略線図である。
【図７】接続時のＧＵＩ画面の構成を示す略線図である。
【図８】フォルダアイコンをワンクリックしたときの説明に供する略線図である。
【図９】第１の実施の形態による携帯型記憶再生装置の機能構成を示すブロック図である。
【図１０】第１の実施の形態によるデータ転送処理手順を示すフローチャートである。
【図１１】第２の実施の形態によるデータ送受信処理手順を示すフローチャートである。
【図１２】第３の実施の形態の概要となる情報処理装置の機能構成を示すブロック図である。
【図１３】第３の実施の形態によるデータ転送システムの構成を示す略線図である。
【図１４】第３の実施の形態によるデータ記憶再生装置の機能構成を示すブロック図である。
【図１５】ＧＵＩ画面の構成を示す略線図である。
【図１６】フォルダアイコンが指定された状態の説明に供する略線図である。
【図１７】第３の実施の形態による携帯型記憶再生装置の機能構成を示すブロック図である。
【図１８】第３の実施の形態によるデータ転送処理手順を示すフローチャートである。
【図１９】第４の実施の形態によるデータ記憶再生装置のハードウェア構成を示すブロック図である。
【図２０】第４の実施の形態による携帯型記憶再生装置のハードウェア構成を示すブロック図である。
【図２１】他の実施の形態によるデータ送受信処理手順を示すフローチャートである。
【符号の説明】
【０２０４】
１、１００……情報処理装置、２、２５、１２４……通信部、３、２８、１０２、１２７……検出部、４、２２……命令割当部、５、２１、１０３、１２１……操作入力部、６、２０、３０、１０４、１２０、１３０……制御部、１０、１１０……データ転送システム、１１、１１１、２００……データ記憶再生装置、１２、ＰＡ、３００……携帯型記憶再生装置、１４……タッチパネル付表示部、１４Ａ……タッチパネル、１４Ｂ、１２８、１３６……表示部、２４、３２、１２３、１３２……記憶部、２５Ａ、１２４Ａ……ネットワーク接続部、２５Ｂ、３１……外部接続部、３３、１１２、１３３……操作部、１０１、１２４Ｂ、１３１……無線通信部、Ｆｉ……フォルダアイコン。
【図１】
2008250924.tif 000003
【図２】
2008250924.tif 000004
【図３】
2008250924.tif 000005
【図４】
2008250924.tif 000006
【図５】
2008250924.tif 000007
【図６】
2008250924.tif 000008
【図７】
2008250924.tif 000009
【図８】
2008250924.tif 000010
【図９】
2008250924.tif 000011
【図１０】
2008250924.tif 000012
【図１１】
2008250924.tif 000013
【図１２】
2008250924.tif 000014
【図１３】
2008250924.tif 000015
【図１４】
2008250924.tif 000016
【図１５】
2008250924.tif 000017
【図１６】
2008250924.tif 000018
【図１７】
2008250924.tif 000019
【図１８】
2008250924.tif 000020
【図１９】
2008250924.tif 000021
【図２０】
2008250924.tif 000022
【図２１】
2008250924.tif 000023